(57)【要約】 【課題】  湯水による足裏全体のマッサージを簡便に実現することを目的とする。【解決手段】  下肢水浴装置１０では、１個の吐水ノズル４０を前後方向にスイングさせながら吐水口４７から湯水が吐水する。このため、湯水は、足裏ＦＵの長手方向の広い領域Ｕ１に亘って順次に着水する。【選択図】  図５
2005000651.tif 000002
【特許請求の範囲】
【請求項１】
下肢に湯水を浴びせる下肢水浴装置であって、
湯水を吐水するノズルと、
足が載置され、該足の足裏における所定の範囲を、前記ノズルの側に露出させる露出領域を有する足置き台と、
前記ノズルから吐水された湯水が前記露出領域に含まれる複数の異なる地点に、順次に到達するように、前記ノズルからの吐水状態を制御する吐水状態制御手段と
を備えた下肢水浴装置。
【請求項２】
請求項１記載の下肢水浴装置であって、
前記吐水状態制御手段は、前記吐水された湯水の到達地点を、前記足置き台における足の前後方向に沿って変更する手段である下肢水浴装置。
【請求項３】
請求項２記載の下肢水浴装置であって、
前記吐水された湯水の到達地点は、少なくとも足裏の前後方向において、５センチの範囲に及ぶ下肢水浴装置。
【請求項４】
請求項２記載の下肢水浴装置であって、
前記吐水状態制御手段により足の前後方向に沿って変更される湯水の到達地点には、足裏の複数のつぼの存在箇所が含まれる下肢水浴装置。
【請求項５】
請求項１記載の下肢水浴装置であって、
前記吐水状態制御手段は、前記湯水の到達地点を、前記足置き台における足の前後方向および幅方向に変更する手段である下肢水浴装置。
【請求項６】
請求項５記載の下肢水浴装置であって、
前記吐水された湯水の到達地点は、少なくとも、足裏の前後方向において、５センチ、足裏の幅方向において４センチの範囲に及ぶ下肢水浴装置。
【請求項７】
請求項１記載の下肢水浴装置であって、
前記吐水状態制御手段は、前記湯水の到達地点を、前記足置き台における足の存在位置において所定の経路に沿って変更する手段である下肢水浴装置。
【請求項８】
前記所定の経路は、円、楕円、または所定の閉曲線として予め設定された請求項７記載の下肢水浴装置。
【請求項９】
前記所定の経路は、複数の前記到達地点を順次経由する経路として予め設定された請求項７記載の下肢水浴装置。
【請求項１０】
前記ノズルが片足につき１個であり、前記吐水状態制御手段は、前記ノズルからの吐水方向を変更することにより、前記湯水の到達地点を変更する手段である請求項１ないし請求項９のいずれか記載の下肢水浴装置。
【請求項１１】
前記ノズルが片足につき１個であり、前記吐水状態制御手段は、前記ノズルの位置を変更することにより、前記湯水の到達地点を変更する手段である請求項１ないし請求項９のいずれか記載の下肢水浴装置。
【請求項１２】
前記ノズルが片足につき１個であり、前記吐水状態制御手段は、前記ノズルの位置を、前記足裏の存在位置に対して略平行な平面内で変更することにより、前記湯水の到達地点を二次元的に変更する手段である請求項１ないし請求項９，請求項１１のいずれか記載の下肢水浴装置。
【請求項１３】
前記ノズル位置の変更を、モータにより行なう請求項１１または請求項１２記載の下肢水浴装置。
【請求項１４】
前記ノズル位置の変更を、該ノズルの先端から吐出される吐水の反動を利用して行ない、該ノズルが所定の位置まで到達したときに、該ノズルからの吐水の方向を逆転する機構を備えた請求項１１記載の下肢水浴装置。
【請求項１５】
請求項１ないし請求項９のいずれか記載の下肢水浴装置であって、
前記ノズルは複数個備えられており、
前記吐水状態制御手段は、前記複数のノズルのうち、前記湯水の吐水を行なうノズルを順次選択することにより、前記湯水の到達地点を変更する手段である下肢水浴装置。
【請求項１６】
前記ノズルからの湯水の到達地点を前記足のサイズに応じて決定する決定手段を備えた請求項１ないし請求項１５のいずれかに記載の下肢水浴装置。
【請求項１７】
請求項１ないし請求項１６のいずれか記載の下肢水浴装置であって、
前記湯水の複数の到達地点を表わす複数の位置データの集合を組として登録する登録手段と、
該組として登録されたデータの集合を所定の操作に基づいて読み出す読出手段と
を備え、
前記吐水状態制御手段は、前記ノズルから吐水される湯水の到達地点の制御を、前記読出手段により読み出されたデータの集合に基づいて行なう
下肢水浴装置。
【請求項１８】
請求項１７記載の下肢水浴装置であって、
前記登録手段は、予め決定された湯水の複数の到達地点を表わす複数の位置データの少なくとも一つについて、その位置データを修正する修正手段を備えた下肢水浴装置。
【請求項１９】
請求項１ないし請求項１８のいずれか記載の下肢水浴装置であって、
前記ノズルから吐水される湯水が前記複数の異なる地点に順次到達する動作パターンを、異なる組合わせの前記到達地点について、それぞれ記憶するパターン記憶手段を備え、
前記吐水状態制御手段は、前記複数の動作パターンから選択された一の駆動パターンに基づいて前記吐水状態を制御する手段である
下肢水浴装置。
【発明の詳細な説明】
【技術分野】
【０００１】
本発明は、下肢に水を浴びせる下肢水浴装置に関する。
【背景技術】
【０００２】
従来、足裏に水を噴射して足裏をマッサージする足裏水圧マッサージ器が提案されていた（例えば、特許文献１）。これらの装置では、足裏の複数の局所をマッサージするために、足裏が載せられる範囲に設けられた３個の各ノズルの向きを手で任意の向きに変えたり、１個のノズルを跨いで設けられたローラの上で足の裏を移動させたりしていた。
【０００３】
【特許文献１】特開平３−１１１０４９号公報
【発明の開示】
【発明が解決しようとする課題】
【０００４】
しかしながら、上記のような従来の装置では、装置の使用中にマッサージ対象となる局所を変えようとする場合に、載せた足を一旦外してノズルの向きを調整する、再び足裏をローラの上で移動させるという煩雑な作業が必要となり、改善の余地が残されていた。
【０００５】
一方、上記従来の装置において、足裏の各局所に対応した数のノズルを設ければ、上記の煩雑な作業は不要となる。しかしながら、マッサージ対象となる局所（例えば、つぼ）は足裏の広範囲に多数存在するため、多数のノズルを増設しなければならず、コストや節水の面で問題があった。
【０００６】
そこで、本発明は、湯水による足裏の広範囲にわたるマッサージを簡便に実現することを目的として、以下の構成を採った。
【課題を解決するための手段】
【０００７】
本発明の下肢水浴装置は、
下肢に湯水を浴びせる下肢水浴装置であって、
湯水を吐水するノズルと、
足が載置され、該足の足裏における所定の範囲を、前記ノズルの側に露出させる露出領域を有する足置き台と、
前記ノズルから吐水された湯水が前記露出領域に含まれる複数の異なる地点に、順次に到達するように、前記ノズルからの吐水状態を制御する吐水状態制御手段と
を備えたことを要旨とする。
【０００８】
かかる下肢水浴装置によれば、足裏の所定の範囲における複数の異なる箇所に、ノズルから吐水された湯水が順次に到達するから、湯水による足裏全体のマッサージを簡便に実現することができる。
【０００９】
こうした下肢水浴装置では、吐水された湯水の到達地点を、前記足置き台における足の前後方向に沿って変更する構成とすることができる。この場合、吐水された湯水の到達地点は、少なくとも足裏の前後方向において、５センチの範囲に及ぶものとすれば、人間の平均的な足裏に対する水浴を実現することができる。また、足の前後方向に沿って変更される湯水の到達地点には、足裏の複数のつぼの存在箇所を含ませるものとすれば、つぼへの湯水による刺激を簡易に実現することができる。
【００１０】
あるいは、湯水の到達地点を、足置き台における足の前後方向および幅方向に変更することも好適である。こうすれば、足を移動することなく、足裏の前後、幅方向の広い範囲に亘って湯水を到達させ、水浴の効果を得る事ができる。この場合、吐水された湯水の到達地点は、少なくとも、足裏の前後方向において、５センチ、足裏の幅方向において４センチの範囲に及ぶものとすることも好適である。特に、足裏で、多くの人が最もつかれやすい場所である土踏まずと湧泉つぼを刺激することは好適である。
【００１１】
また、湯水の到達地点を、足置き台における足の存在位置において所定の経路に沿って変更するものとしても良い。足裏には様々なつぼが存在するから、所定の経路を予め設定しておけば、効率よくつぼを刺激することができる。特に、湯水の到達地点を足裏の前後方向および幅方向に変更できるものでは、湯水の到達地点を二次元的に変更できるので、予め設定した所定の経路に沿って湯水の到達地点が変更されるようにすれば、足裏への刺激を十分に行なうことができる。こうした所定の経路としては、円、楕円、または所定の閉曲線などを考えることができる。
【００１２】
また、こうした所定の経路は、湯水の複数の到達地点を順次経由する経路として予め設定しておくことも可能である。特に刺激を受けたいつぼなどがある場合、こうしたつぼの位置を湯水の到達地点として定め、複数の到達地点を順次経由する経路を設定すれば、使用者の満足度は特に大きくすることができる。
【００１３】
こうした下肢水浴装置としては、湯水の吐水を行なうノズルが片足につき１個であり、このノズルからの吐水方向を変更することにより、湯水の到達地点を変更する構成を採用することができる。こうすれば、単一のノズルで、広い範囲に亘って湯水を到達させることができ好適である。
【００１４】
また、片足につき１個のノズルを用いて湯水の到達地点を変更するこの他の構成としては、ノズルの位置を変更する構成を考えることができる。もとより、こうしたノズル位置の変更は、一次元的なものであっても良いが、ノズルの位置を、足裏の存在位置に対して略平行な平面内で変更することにより、いわば二次元的に変更するものであっても良い。湯水の到達地点を二次元的に変更できれば、湯水の到達地点を自由に設定することができる。
【００１５】
こうしたノズル位置の変更はモータやソレノイドなどのアクチュエータによって簡便に行なうことができるが、ノズルの先端から吐出される吐水の反動を利用して行なうこともできる。吐水の反動を利用してノズル位置の変更を行なう場合には、水圧だけですませることができ、省エネルギを実現することができる。この場合、ノズルが所定の位置まで到達したときに、ノズルからの吐水の方向を逆転する機構を備えれば、ノズルは所定の範囲で往復運動することになり、更に好適である。
【００１６】
もとより、ノズルを片足につき複数個備えるものとし、複数のノズルのうち、湯水の吐水を行なうノズルを順次選択することにより、湯水の到達地点を変更するものとしてもよい。この場合には、湯水の到達地点を不連続にすることも容易である。また、到達地点の切り替えを高速に行なうことも可能である。
【００１７】
湯水の到達地点は、予め決定してもよいが、足の大きさによってつぼの位置は変わるから、ノズルからの湯水の到達地点を足のサイズに応じて決定する構成とすることも好ましい。
【００１８】
なお、予め湯水の到達地点の経路を記憶しておくような場合でも、経路を、湯水の複数の到達地点を表わす複数の位置データの集合を組として登録しておき、組として登録されたデータの集合を所定の操作に基づいて読み出し、これに従って、ノズルから吐水される湯水の到達地点の制御を行なうものとすれば、疲労の原因や好み、あるいは使用者の違いに応じて、湯水の到達地点の経路を所望のものとすることができるので、好適である。
【００１９】
この場合、予め決定された湯水の複数の到達地点を表わす複数の位置データの少なくとも一つについては、その位置データを修正可能とすることが望ましい。足裏のつぼなど、湯水の吐出を受けて気持ちの良い場所は、使用者ごとに微妙に異なるからである。
【００２０】
ノズルから吐水される湯水が複数の異なる地点に順次到達する動作パターンを、異なる組合わせの到達地点について、それぞれ記憶しておき、複数の動作パターンから選択された一の駆動パターンに基づいて吐水状態を制御することも好適である。この場合には、異なる箇所を選択して湯水の吐出を受けることができる。
【発明を実施するための最良の形態】
【００２１】
（１）第１実施例：
以下、本発明の実施の形態を実施例に基づき説明する。図１は第１実施例の下肢水浴装置１０の概略構成を示す説明図、図２は下肢水浴装置１０を図１における２−２線に沿って縦方向に切断したときの矢視断面形状を示す説明図である。図３は凹所２６の底面２６ｔを上から見たときの様子を示す説明図である。この図３では図１に示した２−２線を一点鎖線で表わしている。
【００２２】
図示するように、下肢水浴装置１０は、ゴム足１５付きの本体１２を備える。この本体１２は、樹脂製であり、足を含む下肢を収納可能な凹所２６を有する上部２０と、吐水のための各種の機能部を収納可能な空間を有する下部３０を備える。下肢水浴装置１０は、上部２０内に収納された下肢に吐水ノズル４０から吐水された湯水を浴びせる装置である。下肢に湯水を浴びることを、以下、足浴という。
【００２３】
本体１２の天井壁は、凹所２６を覆う前カバー２１と後カバー２２とによって構成されている。前カバー２１，後カバー２２は、それぞれ、上部２０の上端部の前端，後端に、開閉可能に軸着されている。なお、図示しないが、上部２０には、閉じられた前カバー２１ないし後カバー２２を閉止状態に保持するストッパが装着されている。
【００２４】
前カバー２１および後カバー２２は、いずれも透明度の高い部材で形成されている。従って、使用者は、前カバー２１，後カバー２２によって覆われた下肢部分の状態（例えば、足置き台５０への足の配置状態や吐水ノズル４０からの吐水状態）を装置１０の外部から視認することができる。
【００２５】
閉止した状態の前カバー２１と後カバー２２とが接する部分には略円形の開口２７Ｌ，２７Ｒが形成されており、各開口２７Ｌ，２７Ｒ内には、弾性部材としてのゴム部材２３Ｌ，２４Ｌ，ゴム部材２３Ｒ，２４Ｒが設けられている。ゴム部材２３Ｌ，２３Ｒは、前カバー２１の裏面に装着されており、ゴム部材２４Ｌ，２４Ｒは後カバー２２の裏面に装着されている。
【００２６】
後カバー２２を閉止した後に前カバー２１を閉止すると、開口２７Ｌ，２７Ｒ内には、ゴム部材２３Ｌ，２３Ｒとゴム部材２４Ｌ，２４Ｒとが重なる部分（以下、重合部ＤＬ，ＤＲという）が形成される。また、開口２７Ｌの中心部，開口２７Ｒの中心部には、ゴム部材２３Ｌ，２４Ｌ，ゴム部材２３Ｒ，２４Ｒが存在しない空隙部分である穴部２５Ｌ，２５Ｒが形成される。この穴部２５Ｌ，２５Ｒを通じて、足浴対象となる下肢部分が凹所２６内に挿入される（図２を参照）。なお、以下の説明においては、図２において足指が向いている方向，側のことを「前方向」，「前側」といい、図２において踵が向いている方向，側のことを「後方向」，「後側」という。
【００２７】
図２に示すように、凹所２６の底面２６ｔには１個の排水孔２８が設けられている。この排水孔２８は、底面２６ｔ前側の略中央の位置に（図３を参照）、底面２６ｔから装置１０の底部までを略鉛直方向に貫通することによって形成されている。また、底面２６ｔには、底面２６ｔに落ちた湯水が排水孔２８への入口である排水口２９に向かってスムーズに流れていくように、排水口２９に向かう勾配が付与されている。
【００２８】
図２に示すように、凹所２６内には、足置き台５０が、底面２６ｔから所定の高さで立設された状態で配設されている。足置き台５０は、両足が載せられる上面板５４と、この上面板５４を支持する４つの側面板５５Ａ〜Ｄとを備える（図３を参照）。
【００２９】
上面板５４は足が載せられる載置面５４ａを備える。この載置面５４ａの後側寄りの位置には、足の固有箇所である踵を案内する踵凹所５０ａが形成されている。よって、本装置の使用者が足置き台５０に足を載せたとき、足の踵は、踵凹所５０ａに案内されてこの踵凹所５０ａに入り込む。これにより、足置き台５０上の足の位置が踵を基準として定まる。図３では、踵凹所５０ａに踵を入れて載置面５４ａに足を載せたときの足裏ＦＵの輪郭を二点鎖線で示した。
【００３０】
図３に示すように、上面板５４の中央部には、後述する吐水ノズル４０からの湯水を通過させる貫通孔５１が２箇所に形成されている。図３に二点鎖線で示すように、本装置の使用者が踵凹所５０ａに踵を入れて載置面５４ａに足を載せると、貫通孔５１を跨いだ部分の足裏が吐水ノズル４０の側に露出した状態となる。本実施例では、上記の貫通孔５１が、特許請求の範囲における「露出領域」に相当する。また、前側の側面板５５Ａ，後側の側面板５５Ｃには、それぞれ、底面２６ｔに落ちた湯水の通路として機能するゲート開孔５８，ゲート開孔５９が設けられている。
【００３１】
なお、上記の上部２０，前カバー２１，後カバー２２，足置き台５０を、片足のみの収納や載置が可能に構成することも可能である。また、本実施例では、足置き台５０を凹所２６の底面２６ｔと一体として形成したが、清掃やノズル交換等のメンテナンス性を考慮して足置き台５０を着脱可能に構成しても差し支えない。
【００３２】
図２に示すように、凹所２６の底面２６ｔの略中央付近には吐水ノズル４０が設けられている。吐水ノズル４０は、上面板５４の各貫通孔５１のほぼ真下の位置に、左足用，右足用の計２個が左右に並んだ状態で設けられている。この吐水ノズル４０により、足置き台５０に載置された足裏のうちの貫通孔５１内に配置された部分（以下、露出部分ＦＵｐという）を指向して湯水が吐水される。このように吐水ノズル４０から吐水される湯水のことを、以下、足裏指向湯水という。足裏指向湯水は、足置き台５０に形成された貫通孔５１を通過して、足裏の露出部分ＦＵｐの所定の箇所（例えば、つぼ）に到達した後、凹所２６内に飛散して底面２６ｔに落ちた後、底面２６ｔに付与された勾配に案内されて排水口２９に導かれ、排水孔２８を通って装置１０の外部に排出される。
【００３３】
ここで、吐水ノズル４０の構造について説明する。図４は吐水ノズル４０とその作動の様子を説明する説明図である。図示するように、吐水ノズル４０は、ノズルブロック４１内に湯水を給水する給水孔４１ａと、給水孔４１ａから給水された湯水が流入する流入室４２を備える。この流入室４２にはノズル体４４が傾斜姿勢を採るように組み込まれている。ノズル体４４は、流入室４２に流入した湯水を、その側面から内部に導き入れる。内部に導かれた湯水は、ノズル体４４の先端側に有底で形成された吐水孔４５を通り、吐水孔４５からの出口である吐水口４７から足裏指向湯水として吐水される。
【００３４】
流入室４２にその偏心流路から図中矢印で示すように湯水が流入すると、流入室４２では、旋回流が生じる。この旋回流は、流入室４２内に位置するノズル体４４にこれを旋回させる力を及ぼす。ノズル体４４は、その先端側が開口４６に僅かな遊びを持って挿入支持され、上記したように傾斜姿勢を採ることから、開口４６による支持箇所を中心に傾斜姿勢で旋回する。ところで、ノズル体４４の先端側は、流入室４２においてガイド部４８でも案内される。このガイド部４８は、円形状の中ぐり孔であり、傾斜姿勢のノズル体４４の先端外壁と接触する。ノズル体４４は、上記の旋回流により傾斜姿勢のまま旋回しようとするが、その動きは、ノズル体先端とガイド部内壁との接触箇所Ｘで制限される。この接触箇所Ｘはガイド部４８形状の円弧に沿って移動するので、ノズル体４４は、開口４６の中心軸である公転軸ＫＪの周りを公転しながら、ノズル先端の吐水口４７をガイド部４８形状の円弧に倣った円軌跡で移動させ（旋回させ）、こうした動きを起こしつつ吐水口４７から湯水を吐水する。従って、傾斜して旋回しつつノズル体４４から吐水された湯水は、略円形状に足裏等に着水することになる。なお、こうした着水形状は、ガイド部４８の中ぐり孔形状を変更することで種々のものとでき、例えば、ガイド部４８を楕円形状とすれば、ノズル体４４からの湯水の着水形状を略楕円形とすることができる。
【００３５】
このように下肢水浴装置１０では、ノズル体４４が略円形状に旋回された状態で湯水を吐水する吐水ノズル４０を用いたので、吐水される湯水の量が少量でも足の広い範囲に十分な強さの刺激感を与えることが可能となる。従って、ノズル吐水用の湯水を効率的に使うことができる。
【００３６】
図２に戻って説明する。凹所２６の底面２６ｔには吐水ノズル４０を駆動する首振り機構８０が組み込まれている。この首振り機構８０は、吐水ノズル４０を足裏の長手方向（前後方向）にスイングさせることにより吐水ノズル４０の傾斜角度（吐水口４７の向き）を変化させる機構である。こうした吐水ノズル４０の首振り駆動により、足置き台５０上で足位置を移動させることなく、吐水ノズル４０から吐水された湯水の着水範囲を、足裏ＦＵの露出部分ＦＵｐにおいて拡大させることができる。
【００３７】
図５は首振り機構８０の一例を示す説明図であり、図６は首振り機構８０が備えるカム機構８１の構造を示す説明図である。図示するように、首振り機構８０は、吐水ノズル４０のノズルブロック４１に装着された係合ロッド８２と、係合ロッド８２が係合するカムを有するカム機構８１と、カム機構８１に接続されたモータＭ０とを備える。モータＭ０が駆動されると、モータＭ０の回転駆動力がカム機構８１に伝達され、カム機構８１内のカムが移動する。このカムは、図６に示すように、そのカム面に倣って係合ロッド８２の進退および前後の傾動を同時に起こすので、このロッドの進退・傾動の組み合わせで、二点鎖線で図示するように、係合ロッド８２および吐水ノズル４０を前後方向に首振り駆動する。
【００３８】
次に、図２に戻って、下部３０に収納された各種の機能部について説明する。図２に示すように、下部３０内には、吐水ノズル４０に湯水を送り込む電動ポンプ６０と、電動ポンプ６０の給水孔に接続された給水管６３と、電動ポンプ６０の吐水孔と吐水ノズル４０のノズルブロック４１に設けられた給水孔４１ａ（図４を参照）とを接続する可撓管６１とが収納されている。給水管６３は装置１０の外部に持ち出されており、この給水管６３に水道管や給湯管等の一次側配管が接続される。これにより、給水管６３から電動ポンプ６０に湯水が供給され、供給された湯水は電動ポンプ６０の動作によって吐水ノズル４０に圧送される。
【００３９】
上部２０と下部３０との間には、上部２０内や下部３０内の収納空間から独立した空間として収納室３８が形成されており、この収納室３８には、ＣＰＵ，ＲＯＭ，ＲＡＭやタイマ等の各機能部を備えた制御装置６４が収納されている。
【００４０】
制御装置６４の出力側には電動ポンプ６０が接続されている。制御装置６４は、電動ポンプ６０に対してポンプの駆動パターンを指示することにより電動ポンプ６０の動作を制御し、吐水ノズル４０への湯水の供給の要否や吐水ノズル４０に供給する湯水の水勢等を調節する。このような水勢制御により、吐水ノズル４０から吐水される湯水の水勢を、足の状態（例えば、汚れの程度，外傷の有無，疲労の度合い等）に応じて変えることができる。また、制御装置６４の出力側には首振り機構８０のモータＭ０が接続されている。
【００４１】
なお、図示していないが、制御装置６４の入力側には、リモコン装置１９からの送出信号を感知するセンサ装置が接続されている。このセンサ装置の受信部は収納室３８の側壁に外部に露出した状態で埋め込まれている。受信部はリモコン装置１９からの設定信号を受信し、この設定信号を制御装置６４に入力する。制御装置６４は、入力された設定信号に基づいて電動ポンプ６０や首振り機構８０、前カバー２１および後カバー２２の動作を制御する。
【００４２】
リモコン装置１９には、吐水ノズル４０からの吐水の開始（オン），終了（オフ）を指示する吐水スイッチ１９ａ、吐水される湯水の水勢を設定する水勢設定スイッチ１９ｃ、前カバー２１ないし後カバー２２の開閉を指示するカバー開閉スイッチ１９ｂが設けられている。カバー開閉スイッチ１９ｂを用いた遠隔操作により、前カバー２１および後カバー２２を自動で開閉することができる。吐水スイッチ１９ａがオンにされると電動ポンプ６０および首振り機構８０の駆動が開始され、吐水スイッチ１９ａがオフにされると電動ポンプ６０および首振り機構８０の駆動が停止される。また、水勢設定スイッチ１９ｃを用いた遠隔操作により、電動ポンプ６０の駆動状態を調節することができる。
【００４３】
このように構成された下肢水浴装置１０を使用する際、使用者は、まず、カバー開閉スイッチ１９ｂの開スイッチを押し、閉止状態の前カバー２１および後カバー２２を、図２に二点鎖線で示すように開いた状態にする。この後、上部２０内に下肢を挿入し、足置き台５０の踵凹所５０ａに足を載せ、カバー開閉スイッチ１９ｂの閉スイッチを押す。これにより、前カバー２１および後カバー２２が閉じられ、前カバー２１および後カバー２２は、既述したストッパによって、図２に示すような閉止状態に保持される。こうした前カバー２１，後カバー２２の閉止状態においては、開口２７Ｌ，２７Ｒ内の下肢ＦＴの所定の部位（本実施例では、足首よりもやや上の部位）の周囲がゴム部材２３Ｌ，２４Ｌ，２３Ｒ，２４Ｒの弾性力によって適度に締め付けられる。締め付けられた部位よりも下方の下肢部分は、図２に示すように、前カバー２１，後カバー２２およびゴム部材２３Ｒ，２４Ｒに覆われた状態で凹所２６内に足浴対象として収納される。
【００４４】
この後、吐水スイッチ１９ａの操作により吐水開始指示を受け取った制御装置６４は、現在の水勢の設定値（デフォルト値もしくは水勢設定スイッチ１９ｃの操作によって設定された値）に基づいて、この設定値を実現する電動ポンプ６０の駆動状態を決定し、この駆動状態での駆動を電動ポンプ６０に対して指示する。併せて、制御装置６４は、首振り機構８０に対して駆動開始を指示する。
【００４５】
こうした指示に基づいて電動ポンプ６０および首振り機構８０が駆動されることにより、吐水ノズル４０が前後方向にスイングした状態で、吐水口４７から、設定された水勢の湯水が吐水される。なお、水勢設定スイッチ１９ｃによる水勢の設定値を変えることで、足裏に種々の刺激（マッサージ感等）を得ることができる。
【００４６】
なお、上記のゴム部材２３Ｌ，２４Ｌ，２３Ｒ，２４Ｒによる締め付けによって開口２７Ｌ，２７Ｒと下肢との間には隙間が生じない状態となっている。よって、吐水後に凹所２６内に飛散した飛散湯水が装置１０の外部に漏れ出すことが防止される。
【００４７】
上記の下肢水浴装置１０において、吐水ノズル４０から吐水された湯水が足裏ＦＵの露出部分ＦＵｐに着水する領域を図７に示した。この図７は、足置き台５０の載置面５４ａに左足の足裏ＦＵが載置された状態で、貫通孔５１を吐水ノズル４０側から見たときの様子を表わしている。このため、図７では、貫通孔５１越しに足裏ＦＵの露出部分ＦＵｐが見えており、足裏ＦＵにおける幾つかのつぼＦＵｔＡ〜ＦＵｔＥの領域を、破線の円内に表わしている。つぼＦＵｔＡ，ＦＵｔＢ，ＦＵｔＣ，ＦＵｔＤ，ＦＵｔＥは、それぞれ、独陰，裏内庭，湧泉，足心，失眠というつぼを表している。なお、図７に示した前，後，左、右の各方向は、載置面５４ａに置かれた左足の甲を載置面５４ａ側から見たときの方向を示している。また、図７では、載置面５４ａ側に存在する踵凹所５０ａおよび足裏ＦＵの輪郭を破線を用いて示している。
【００４８】
第１実施例の下肢水浴装置１０では、吐水ノズル４０を前後方向にスイングさせながら吐水口４７から湯水が吐水されるので、湯水は、足裏ＦＵの長手方向の広い領域Ｕ１（図７に斜線ハッチングで示した領域）に亘って順次に着水する。これにより、吐水ノズル４０から吐水された湯水が足裏ＦＵに着水する範囲が、従来よりも拡大される。従って、足置き台５０上で足位置を移動させることなく、足裏ＦＵの広い範囲をマッサージすることができる。また、図７に示すように、足裏ＦＵにはその長手方向に複数のつぼが点在しているが、第１実施例の下肢水浴装置１０によれば、こうした複数のつぼを１個の吐水ノズル４０で刺激することができる。
【００４９】
加えて、第１実施例の下肢水浴装置１０では、足裏ＦＵへの着水範囲の拡大を吐水ノズル４０の傾斜角度の変化によって実現する。従って、足裏ＦＵへの着水範囲を拡大する機構の設置スペースを小さくすることができる。例えば、足裏ＦＵの領域Ｕ１に亘る着水を実現するために、領域Ｕ１の範囲の真下に、吐水ノズルのスライド機構や多数の吐水ノズルを設ける必要がない。
【００５０】
また、上記第１実施例では、首振り機構８０のカムは、吐水ノズル４０が首振り駆動の軌跡の端部に行くほど、係合ロッド８２を傾斜した姿勢でカム面により押し上げられる。よって、吐水ノズル４０が傾斜した後における足裏ＦＵの露出部分ＦＵｐと吐水口４７との間の距離（図５に示す距離ｅ２，ｅ３）を、傾斜前の距離（図５に示す距離ｅ１）に近づけることができる。例えば、カム面による係合ロッド８２の押し上げ長を、吐水ノズル４０の傾斜角度の大きさに拘らず足裏ＦＵの露出部分ＦＵｐと吐水口４７との間の距離（以下、離間距離という）がほぼ等距離となる（距離ｅ２，ｅ３と距離ｅ１とがほぼ等距離となる）長さとすれば、足裏ＦＵの露出部分ＦＵｐの全体に同程度の強さの吐水を得ることができる。
【００５１】
なお、吐水ノズル４０を首振り動作させる構造は、首振り機構８０以外の他の機構によっても実現可能である。例えば、モータの駆動力をスプラインシャフトを介してスプラインギヤに伝達する機構において、スプラインギヤの回転軸に上記の係合ロッドを接続する構成を考えることができる。この構成によれば、モータが正逆方向に駆動されると、このモータの駆動力がスプラインギヤに伝達されることにより、スプラインギヤがギヤ軸を中心として正転あるいは逆転する。こうしたスプラインギヤの正逆転駆動により係合ロッド８２および吐水ノズル４０を前後方向に首振り動作させることができる。この構成によれば、モータの駆動量を制御することにより、吐水ノズル４０の傾斜角度を調節することができるという利点がある。
【００５２】
また、上記のカム機構８１以外の機構を用いて、離間距離を調整することも可能である。例えば、吐水ノズル４０の全長を伸縮可能に構成し、この吐水ノズル４０を伸縮させる度合いを制御装置６４によって制御する構成を考えることができる。この構成において、吐水ノズル４０の傾斜角度が大きくなるほど吐水ノズル４０の全長が伸びるような制御を行なえば、足裏ＦＵの露出部分ＦＵｐの全体に同程度の強さの吐水を得ることができる。
【００５３】
上記実施例では、吐水ノズル４０の傾斜角度（吐水口４７の向き）を変化させることによって足裏ＦＵへの着水範囲の拡大を実現したが、このような足裏ＦＵへの着水範囲の拡大は、領域Ｕ１の範囲の真下に多数の吐水ノズルを設ける構成や領域Ｕ１の範囲の真下に吐水ノズルのスライド機構を設ける構成によっても実現することができる。このスライド機構としては、モータの駆動力によって吐水ノズルを位置移動させるもののほか、吐水ノズルからの湯水の吐水力によって吐水ノズルを位置移動させるものを考えることができる。
【００５４】
吐水力を利用したスライド機構８５の構造を図８に示した。このスライド機構８５は、シャフト８７付きの吐水ノズル４０を備える。シャフト８７は、吐水ノズル４０を傾斜させた状態で、レール８６に嵌合されている。こうしたスライド機構８５において吐水ノズル４０から湯水が吐水されると、吐水ノズル４０は、吐水力のレール８６に沿った方向の分力Ｃによってレール８６上を摺動する。摺動してきた吐水ノズル４０がレール８６の端部付近にさしかかると、シャフト８７がストッパ８８に衝突し、この衝突によって分力Ｃの反力Ｄが生じる。この反力Ｄによって、吐水ノズル４０は、レール８６上を、それまでとは反対方向に摺動する。こうしたスライド機構８５を領域Ｕ１の範囲の真下に設けることによっても、吐水ノズル４０から吐水された湯水を、足裏ＦＵの長手方向の広い領域Ｕ１に順次に着水させることができる。
【００５５】
領域Ｕ１の範囲の真下に多数の吐水ノズルを設ける構成を図９に示した。この図９は貫通孔５１を載置面５４ａ側から見たときの様子を示しており、載置面５４ａに載置された右足の足裏ＦＵの輪郭を二点鎖線で表わしている。貫通孔５１の真下に位置する底面２６ｔには、図７の領域Ｕ１に対応する範囲に、１３個の吐水ノズル４０が所定の間隔ｉで配列されている。この各吐水ノズル４０から配列順に順次に湯水を吐水すれば、吐水ノズル４０から吐水された湯水を、足裏ＦＵの長手方向の広い領域Ｕ１に順次に着水させることができる。なお、既述したように、吐水ノズル４０では略円形状に旋回された状態で湯水が吐水されるので、１個の吐水ノズル４０による足裏ＦＵへの着水範囲は通常のノズルよりも広くなる。従って、吐水ノズル４０間の間隔ｉを長めに取った場合でも、湯水を領域Ｕ１の全範囲に着水させることが可能となり、配置される吐水ノズル４０の数の減少を図ることができる。
【００５６】
（２）第２実施例
次に第２実施例について図１０ないし図１１を参照しつつ説明する。第２実施例は、凹所２６の底面２６ｔに、首振り機構８０に替えて、吐水ノズルのスイングとスライドの双方を可能とする機構（スイング・スライド機構）を設けた点で、第１実施例と相違する。このスイング・スライド機構１８０の構造を図１０に示した。なお、第２実施例では、第１実施例と共通の各部につき、符号の十の位以下を第１実施例と同じ数字ないし英字を用いて表わしている。
【００５７】
スイング・スライド機構１８０は、ボールねじ１７２が装着されたテーブル１７１を備える。ボールねじ１７２の端部にはモータＭ１の軸が連結されている。また、ボールねじ１７２には、吐水ノズル１４０のノズルブロック１４１が吐水口１４７を上向きとした状態で噛合している。一方、テーブル１７１の下部にはモータＭ３の軸が連結されている。
【００５８】
上記のモータＭ３の駆動に伴ってテーブル１７１が回転することにより、テーブル１７１が足裏の長手方向（前後方向）に傾く。これにより、吐水ノズル１４０の傾斜角度（吐水口１４７の向き）が変更される。一方、上記のモータＭ１の駆動に伴ってボールねじ１７２が回転されると、吐水ノズル１４０はボールねじ１７２に沿って足裏の幅方向（左右方向）に移動する。具体的には、吐水ノズル１４０は、モータＭ３の正転駆動，反転駆動によって、それぞれ前方向，後方向に傾き、モータＭ１の正転駆動，反転駆動によって、それぞれ左方向，右方向に移動する。
【００５９】
モータＭ３は、第１実施例におけるモータＭ０と同様に、吐水スイッチがオンにされたときに駆動を開始し、その駆動量は、第１実施例と同様の角度範囲での首振り動作が実現されるように制御されている。一方、モータＭ１の駆動の開始や停止、駆動量の調節は、図示しない調節スイッチの操作によって行なわれる。勿論、モータＭ１，Ｍ３の駆動量を、モータＭ１，Ｍ３ごとに任意の度合いに調節する構成を採ることも可能である。
【００６０】
このようなスイング・スライド機構１８０が組み込まれた第２実施例の下肢水浴装置によれば、吐水ノズル１４０の前後方向へのスイングと吐水ノズル１４０の左右方向へのスライドとを行なうことが可能となるので、足裏に対する吐水ノズル１４０の位置を二次元的に変えることができる。第２実施例の下肢水浴装置において、吐水ノズル１４０から吐水された湯水が足裏ＦＵの露出部分ＦＵｐに着水する領域を図１１に示した。この図１１は、第１実施例における図７に対応する図であり、貫通孔１５１を吐水ノズル１４０側から見たときの様子を表わしている。
【００６１】
第２実施例の下肢水浴装置では、吐水ノズル１４０を前後方向にスイングさせながら吐水口１４７から湯水が吐水されるので、第１実施例と同様に、湯水は、足裏ＦＵの長手方向の広い領域Ｕ１（図１１に斜線ハッチングで示した領域）に亘って順次に着水する。また、吐水ノズル１４０を左右方向にスライドさせた後に上記のスイング吐水を行なうことで、図１１に二重線の矢印で示したように、足裏ＦＵへの着水可能範囲が足裏の幅方向に広がり、領域Ｕ１とは異なる足裏ＦＵの領域Ｕ２にも湯水を着水させることが可能となる。従って、足裏ＦＵのマッサージ範囲を更に広げることができ、１個の吐水ノズル１４０でより多数のつぼを刺激することができる。
【００６２】
（３）第３実施例
次に第３実施例について図１２ないし図１６を参照しつつ説明する。第３実施例は、凹所２６の底面２６ｔに、首振り機構８０に替えて、吐水ノズルを二次元方向にスライドさせるスライド機構２７０を設けた点で、第１実施例と相違する。この第３実施例の下肢水浴装置２１０の構成を図１２に示した。この図１２は第１実施例における図２に対応するものである。なお、第３実施例では、第１実施例と共通の各部につき、符号の十の位以下を第１実施例と同じ数字ないし英字を用いて表わしている。
【００６３】
図１２に示すように、凹所２２６の底面２２６ｔには吐水ノズル２４０の位置を移動させるスライド機構２７０が組み込まれている。このスライド機構２７０は、吐水ノズル２４０の前後動と左右動とを併用することで、足裏に対する吐水ノズル２４０の位置を二次元的に移動させて、吐水ノズル２４０の位置調整を行なうように構成されている。
【００６４】
スライド機構２７０の構造を図１３に示す。テーブル２７１の上部にはモータＭ４の軸に連結されたボールねじ２７２が装着されている。このボールねじ２７２には、吐水ノズル２４０のノズルブロック２４１が吐水口２４７を上向きとした状態で噛合している。テーブル２７１の下部には、ボールねじ２７２と交差する方向に延びたボールねじ２７３が装着されている。このボールねじ２７３はモータＭ２の軸に連結されている。
【００６５】
上記のモータＭ４の駆動に伴ってボールねじ２７２が回転することにより、吐水ノズル２４０は左右方向に移動する。一方、上記のモータＭ２の駆動に伴ってボールねじ２７３が回転することにより、テーブル２７１が前後方向に移動し、この結果、吐水ノズル２４０が前後方向に移動する。具体的には、吐水ノズル２４０は、モータＭ４の正転駆動，反転駆動によって、それぞれ左方向，右方向に移動し、モータＭ２の正転駆動，反転駆動によって、それぞれ前方向，後方向に移動する。
【００６６】
なお、上記のような二軸式のスライド機構（ｘｙテーブル）は、上記スライド機構２７０に、ボールねじ２７２，２７３に替えて、モータＭ２，Ｍ４の駆動に伴って進行するベルトを設けることによっても実現することができる。
【００６７】
図１２に戻って説明する。制御装置２６４のＲＯＭには、後述する順次吐水処理を実行するためのプログラムや参照データ等が格納されている。この制御装置２６４の出力側にはスライド機構２７０のモータＭ２，Ｍ４が接続されている。制御装置２６４は、スライド機構２７０に対してモータＭ２，Ｍ４の駆動パターンを指示することによりスライド機構２７０の動作を制御し、吐水ノズル２４０の位置を調節する。このような位置調節により、吐水ノズル２４０から吐水された湯水が足裏の露出部分ＦＵｐに当たる位置を変えることができる。
【００６８】
リモコン装置２１９には、位置移動の対象となる吐水ノズル２４０が左足用，右足用のいずれであるかを、「左足」，「右足」という各ボタンの押圧操作によって指示する切換スイッチ２１９ｄ、吐水ノズル２４０の位置の前後左右の各方向への移動を、「前」，「後」，「左」，「右」という各ボタンの押圧操作によって指示する位置調節スイッチ２１９ｅ、「Ａコース」，「Ｂコース」，「Ｃコース」という各ボタンの押圧操作によって、吐水ノズル２４０を複数の異なる足裏位置に順次に移動させながら湯水を吐水するコースメニューの実行を指示する指示するマッサージコーススイッチ２１９ｆが設けられている。切換スイッチ２１９ｄ，位置調節スイッチ２１９ｅ，マッサージコーススイッチ２１９ｆを用いた遠隔操作により、スライド機構２７０の駆動状態を調節することができる。
【００６９】
位置調節スイッチ２１９ｅの種類とモータＭ２，Ｍ４の駆動方向との対応関係は以下の通りである。「左」ボタンが押圧された場合には、モータＭ４を正転駆動させる指示がなされ，「右」ボタンが押圧された場合には、モータＭ４を反転駆動させる指示がなされる。また、「前」ボタンが押圧された場合には、モータＭ２を正転駆動させる指示がなされ，「後」ボタンが押圧された場合には、モータＭ２を反転駆動させる指示がなされる。なお、位置調節スイッチ２１９ｅの前後左右の各ボタンが押圧されると、スライド機構２７０の駆動によって、吐水ノズル２４０は、貫通穴２５１との距離をほぼ一定に保ちながら各方向に移動する。
【００７０】
なお、本実施例では、位置調節スイッチ２１９ｅを操作したときのモータＭ２，Ｍ４の駆動量は、位置調節スイッチ２１９ｅのｎ回の押圧操作につき、後述する座標点（図１４を参照）を、操作されたボタンに表示された方向に、値ｎだけ増減させる量に定められている。
【００７１】
切換スイッチ２１９ｄ，位置調節スイッチ２１９ｅの操作により吐水ノズル２４０の位置を移動させる指示を受け取った制御装置２６４は、位置調節スイッチ２１９ｅの操作回数に基づいて吐水ノズル２４０の移動量と、この移動量を実現する各モータＭ２，Ｍ４の駆動状態を決定し、この駆動状態での駆動をスライド機構２７０に対して指示する。この指示に基づいてスライド機構２７０がモータＭ２，Ｍ４を駆動することにより、吐水ノズル２４０の位置が段階的に移動される。例えば、位置調節スイッチ２１９ｅの前後左右のいずれかのボタンがｎ回操作された場合、モータＭ２，Ｍ４は、正転方向もしくは反転方向に、ｎ回分の駆動量だけ駆動される。この駆動により、吐水ノズル２４０は、現在の位置から、押圧されたボタンに示された方向に、ｎ座標分、移動する。このような移動によって、足裏の露出部分ＦＵｐにおける複数の異なった箇所に湯水による刺激を得ることができる。
【００７２】
次に、マッサージコーススイッチ２１９ｆが操作された場合における下肢水浴装置２１０の動作について説明する。リモコン装置２１９においてマッサージコースを表わす「Ａコース」，「Ｂコース」，「Ｃコース」のいずれかのボタンが押圧操作されると、この操作信号を受け取った制御装置２６４は、ＲＯＭに格納されたプログラムを参照して、貫通穴２５１内の異なる各所に順次に吐水する処理（順次吐水処理）を実行する。この順次吐水処理の実行に際しては、貫通孔２５１内の位置情報を規定したマップＭＤ、各マッサージコースの内容を規定したメニューテーブルＴＤというデータが適宜参照される。これらのデータは制御装置２６４のＲＯＭに格納されている。
【００７３】
マップＭＤの一例を図１４に示す。この図１４は、足置き台２５０の載置面２５４ａに左足の足裏ＦＵが載置された状態で、貫通孔２５１を吐水ノズル２４０側から見たときの様子を表わしている。このため、図１４では、貫通孔２５１越しに足裏ＦＵの露出部分ＦＵｐが見えている。図１４に示した前，後，左、右の各方向は、載置面２５４ａに置かれた左足の甲を載置面２５４ａ側から見たときの方向を示している。また、図１４では、載置面２５４ａ側に存在する踵凹所２５０ａおよび足裏ＦＵの輪郭を破線を用いて示している。
【００７４】
マップＭＤは、貫通孔２５１の開孔領域を二次元座標空間とみなし、開孔領域内における各位置を座標点（ｘ，ｙ）を用いて表わしたものである。本実施例では、開孔領域内における各位置を１１７個の座標点を用いて表わしている。制御装置２６４は、こうした各座標点のほぼ真下に吐水ノズル２４０の吐水口２４７が配置されるようにスライド機構２７０の動作を制御する。なお、右足の足裏ＦＵが載置される箇所に設けられた貫通孔２５１についても、上記のマップＭＤと同様のマップが格納されている。
【００７５】
メニューテーブルＴＤの一例を図１５に示す。メニューテーブルＴＤには、予め用意されたマッサージコース名として、疲労回復に有効なＡコース、食欲回復に有効なＢコース、不眠解消に有効なＣコースという３つのコース名が記述されている。各コースは、足裏ＦＵの露出部分ＦＵｐの５箇所に足裏指向湯水を順次到達させることを３回廻り繰り返す、という内容（メニュー）を有する。メニューテーブルＴＤには、上記５箇所の各箇所に対応する貫通孔２５１の開孔領域内の位置を表わす座標点の情報（以下、座標情報という）が、各コースについて記憶されている。こうした座標情報により、各コースにおける吐水ノズル２４０の移動パターンが決定される。また、メニューテーブルＴＤには、上記座標情報と併せて、５箇所の各座標点において継続して吐水する時間の情報（以下、吐水時間情報という）が記憶されている。
【００７６】
各コースの座標情報は、各コースの効能（疲労回復、食欲回復、不眠解消）を発揮する足裏のつぼの位置に基づいて、各コースごとに異なった値に定められている。図１４では、足裏ＦＵにおける、疲労回復に有効なつぼＦＵｔＪ〜ＦＵｔＮの領域を、破線の円内に表わすと共に、Ａコースで規定された５つの各座標情報によって表わされる地点を、地点Ａ１〜Ａ５として示している。図１４に示すように、地点Ａ１〜Ａ５のいずれも、つぼＦＵｔＪ〜ＦＵｔＮの領域内に入っている。
【００７７】
こうしたマップＭＤおよびメニューテーブルＴＤを参照して実行される順次吐水処理の内容および手順を、順次吐水処理ルーチンとして図１６に示した。本ルーチンは、リモコン装置２１９から送信されたマッサージコーススイッチ２１９ｆの操作信号を制御装置２６４が入力したときに起動する。
【００７８】
本ルーチンが起動されると、まず、入力した操作信号に基づいて、使用者に選択されたマッサージコースが「Ａコース」，「Ｂコース」，「Ｃコース」のうちのいずれであるかを特定する処理を行なう（ステップＳ１００）。次に、メニューテーブルＴＤを参照して特定されたマッサージコースについて、吐水ノズル２４０の１番目の移動先となる座標情報および吐水時間情報を読み出し（ステップＳ１０５）、この座標情報を目標座標情報として入力する処理を行なう（ステップＳ１１０）。次に、マップＭＤを参照して、現在の吐水ノズル２４０の位置を表わす座標情報（以下、現座標情報という）を特定し（ステップＳ１１５）、目標座標情報と現座標情報との差分値を算出する処理を行なう（ステップＳ１２０）。
【００７９】
例えば、吐水ノズル２４０が地点Ａ０に位置する状態で「Ａコース」が選択された場合には、図１４に示すように、現座標情報が（−１，６）と特定され、目標座標情報が地点Ａ１を表わす（１，５）として入力される。この場合には、上記の差分値はｘ軸方向に＋２，ｙ軸方向に−１となる。
【００８０】
次に、算出された差分値の分だけモータＭ２，Ｍ４を駆動する旨をスライド機構２７０に指示する処理を行なう（ステップＳ１３０）。これにより、吐水ノズル２４０は、現座標情報のほぼ真下の位置から目標座標情報のほぼ真下の位置に移動される。上例のように、差分値がｘ軸方向に＋２，ｙ軸方向に−１の場合には、モータＭ４が正転方向に２回分の駆動量だけ駆動され、モータＭ２が反転方向に１回分の駆動量だけ駆動される。これにより、吐水ノズル２４０は、図１４に地点Ａ０と地点Ａ１との間の矢印で示したように、現在の位置（地点Ａ０のほぼ真下の位置）から左方向に２座標分，後方向に１座標分だけ移動し、目標位置である地点Ａ１のほぼ真下の位置で停止する。
【００８１】
こうして吐水ノズル２４０が移動された後、電動ポンプ２６０に駆動の開始を指示する処理を行なう（ステップＳ１４０）と共に、タイマに計時の開始を指示する処理を行なう（ステップＳ１５０）。これにより、吐水ノズル２４０から目標座標情報の位置（上例では地点Ａ１）に向かって湯水の吐水が開始されると共に、吐水開始後の経過時間が計測される。
【００８２】
次に、タイマにより計測された経過時間が１番目の移動先での吐水時間（ステップＳ１０５の処理で読み出されたもの）を超えたか否かを判断する処理を行ない（ステップＳ１６０）、超えたと判断した場合には、電動ポンプ２６０に待機状態での駆動（以下、待機駆動という）を指示する処理を行なう（ステップＳ１７０）。待機駆動とは、それまでに吐水されていた湯水の水勢が弱められるように駆動することを意味する。こうした電動ポンプ２６０の待機駆動により、吐水ノズル４０の移動中における湯水の飛散が抑制される。なお、ステップＳ１７０の処理において、上記の待機駆動に替えて、電動ポンプ２６０の駆動を一時停止する指示を行なってもよい。勿論、電動ポンプ２６０の待機駆動や一時停止を行なわずに、それまでに吐水されていた湯水の水勢を維持しつつ、ステップＳ１７５以下の処理を行なうことも可能である。
【００８３】
次に、メニューテーブルＴＤに記述された５種類の座標点への移動ないし吐水が３回廻り繰り返して行なわれたか否かを判断する処理を行なう（ステップＳ１７５）。３回廻り繰り返して行なわれていないと判断した場合には、メニューテーブルＴＤを参照して、吐水ノズル２４０の次の移動先となる座標情報および吐水時間情報を読み出し（ステップＳ１８０）、ステップＳ１１０に戻って上記の処理を繰り返す。一方、ステップＳ１７５の処理において、３回廻り繰り返して行なわれたと判断した場合には、選択されたマッサージコースのメニューが全て終了したとみなして、電動ポンプ２６０に駆動停止を指示する処理を行ない（ステップＳ１９０）、本ルーチンを終了する。
【００８４】
以上の順次吐水処理によれば、上例のようにＡコースが選択された場合には、吐水ノズル２４０は、図６に矢印で示したように、地点Ａ１，Ａ２，Ａ３，Ａ４，Ａ５のほぼ真下に、この順に移動し、それぞれの地点において２分間，１分間，１分間，２分間，１分間、湯水を吐水する。これにより、吐水された湯水が足裏ＦＵの５箇所のつぼＦＵｔＪ，ＦＵｔＫ，ＦＵｔＬ，ＦＵｔＭ，ＦＵｔＮに順次に当たる。こうした地点Ａ１〜Ａ５までの移動ないし吐水は、３回廻り繰り返して行なわれる。
【００８５】
以上説明した第３実施例の下肢水浴装置２１０では、吐水ノズル２４０から吐水された湯水が足置き台２５０の貫通孔２５１に含まれる複数の異なる地点に順次に到達するように、吐水ノズル２４０が移動される。このように吐水ノズル２４０が移動されることにより、吐水ノズル２４０から吐水された足裏指向湯水は、貫通孔２５１から吐水ノズル２４０の側に露出した足裏ＦＵの露出部分ＦＵｐにおける複数の異なる箇所に順次に当たる。従って、足裏指向湯水による足裏の広範囲にわたるマッサージを簡便に実現することができる。また、貫通孔２５１に含まれる複数の異なる地点は、足裏ＦＵの露出部分ＦＵｐのつぼ位置に足裏指向湯水が当たるように定められている。従って、足裏指向湯水によって足裏ＦＵの異なるつぼを順次に刺激することができる。
【００８６】
また、上記第３実施例では、吐水ノズル２４０の移動パターンがメニューテーブルＴＤに複数通りに記憶されており、複数の移動パターンから選択された一の移動パターンに基づいて吐水ノズル２４０が移動される。従って、所望の移動パターンを選択することにより、各人に適した足裏の広範囲にわたるマッサージを実現することができる。例えば、疲労が蓄積している使用者は、Ａコースを選択して、疲労回復に有効なつぼに刺激を得ることが可能となり、他方、食欲不振の使用者は、Ｂコースを選択して、食欲回復に有効なつぼに刺激を得ることができる。
【００８７】
上記第３実施例では、１個の吐水ノズル２４０から吐水された湯水が片足の足裏における複数の異なる箇所に順次に当たる。従って、少量の湯水で足裏全体をマッサージすることができる。
【００８８】
なお、メニューテーブルＴＤに格納される吐水箇所の数や各箇所の座標情報は適宜変更することが可能である。こうした変更によって吐水ノズル２４０から吐水される湯水の軌道を自在に変えることができる。例えば、足の外形に沿った座標点を組み合わせて足裏周囲の縁部に吐水したり、座標点を円形や楕円形に倣って組み合わせて、吐水される湯水の軌道を円軌道や楕円軌道にすることもできる。
【００８９】
第３実施例では、３種類のマッサージコーススイッチ２１９ｆの選択操作に基づいて疲労回復，食欲回復，不眠解消という３種類のコースを用意したが、４種類以上のコースを用意してもよく、また、用意されるコースが１種類もしくは２種類であっても差し支えない。また、各コースを選択するボタンに替えて、リモコン装置２１９や本体２１２に足裏のイメージ画面を設ける構成を採ることもできる。具体的には、足裏のイメージ画面上で吐水を得たい箇所をプロットする操作を行なうことにより、プロットされた箇所に吐水ノズルが順次に移動して吐水する構成を考えることができる。
【００９０】
第３実施例において、吐水ノズル２４０からの湯水が足裏ＦＵの露出部分ＦＵｐに到達する地点を足のサイズに応じて決定する構成を採ることも望ましい。具体的には、図１７（Ａ）に示すように、リモコン装置１９にサイズ調節スイッチ２１９ｇを設け、図１７（Ｂ）に示すように、メニューテーブルＴＤ１に格納される５箇所の座標情報を、サイズ調節スイッチ２１９ｇによって選択可能な足サイズの情報ごとに予め格納しておけばよい。こうすれば、サイズ調節スイッチ２１９ｇによる足サイズの選択操作によって、選択された足サイズに応じた５箇所の座標情報が抽出され、これに基づいて各コースメニューが実行される。従って、湯水による足裏全体のマッサージを、足置き台２５０に載置される足のサイズの相違に拘らず的確に実現することが可能となり、足サイズに応じたつぼの位置の相違にも対応することができる。
【００９１】
また、サイズ調節スイッチ２１９ｇおよびメニューテーブルＴＤ１によって決定された５箇所の座標情報を修正し、修正後の５箇所の座標情報をオリジナルなメニューとして登録する構成を採ってもよい。具体的には、図１８（Ａ）に示すように、リモコン装置１９に登録ボタン，実行ボタン，コース選択ボタンからなるオリジナルコーススイッチ２１９ｈを設けると共に、図１８（Ｃ）に示すように、制御装置２６４に書き込み可能な登録テーブルＳＤを設ける。
【００９２】
まず、サイズ調節スイッチ２１９ｇの操作により足サイズに応じた５箇所の座標情報がメニューテーブルＴＤ１から抽出される。図１８（Ｂ）は、Ａコースにおいて足サイズが２８センチが選択された場合において抽出された標準の座標情報を表わしている。この後、オリジナルコーススイッチ２１９ｈの登録ボタンが操作されると、この５箇所の座標情報は、一旦、登録テーブルＳＤに書き込まれ、以降、シュミレーションモードに移行する。シュミレーションモードでは、５箇所の各座標点に、所定のインターバルをおいて順番に湯水が吐水される。使用者は、湯水の足裏への到達地点を確認し、到達地点を修正したい場合には上記インターバルの間に位置調節スイッチ２１９ｅを操作し、各箇所の座標情報を前後左右の各方向に修正する。この修正結果は登録テーブルＳＤに反映される。図１８（Ｃ）は、図１８（Ｂ）に示す標準の座標情報を修正した後の座標情報（以下、修正後座標情報という）が記述された登録テーブルＳＤを表わしている。この後、再び登録ボタンを押すと、修正後座標情報が、コース名と関連付けられて、制御装置６４内の記憶領域に記憶され、これにより、オリジナルなメニューが登録される。登録後は、オリジナルコーススイッチ２１９ｈの選択ボタンを操作して所望のコース名を選択し、選択後に実行ボタンを押すことにより、修正後座標情報によって足裏の５箇所への吐水がなされる。
【００９３】
このような構成を採れば、足裏ＦＵの５箇所について、所望の位置に湯水による刺激感を得ることが可能となり、足裏ＦＵのつぼの位置の個人差にも対応することができる。また、所望の位置に関するデータが登録されるので、この登録データを以後に読み出して所望の位置への湯水による刺激感を再現することができる。
【００９４】
第３実施例では、足裏への複数の異なる箇所に順次に吐水すること（以下、順次吐水という）を、吐水ノズル２４０の位置を移動させる構成によって実現したが、こうした順次吐水は、例えば、第２実施例のように吐水ノズルの傾斜角度（吐水口の向き）を変更する構成を採用することによっても実現可能である。この構成を採用した場合には、吐水ノズルの全長を伸縮可能に構成し、制御装置が、吐水ノズルの傾斜角度が大きくなるほど吐水ノズルの全長が伸びるように、吐水ノズルの伸縮度合いを制御することが好ましい。こうすれば、吐水ノズルの傾斜角度の大きさに応じて離間距離を変えることが可能となる。従って、足裏の吐水がなされる箇所に応じて足裏に当たる吐水の強さを変えることができる。例えば、吐水ノズルの傾斜角度の大きさに拘らず離間距離が等距離となるように制御すれば、足裏全体に同程度の強さの吐水を得ることができる。
【００９５】
（４）第４実施例
次に第４実施例について説明する。第４実施例は、上記実施例の下肢水浴装置に、ノズル体４４が公転しながら吐水する吐水ノズル４０に替えて、ノズル体が公転および自転しながら吐水する吐水ノズルを設けた点で、第１実施例と相違する。こうした吐水ノズルの具体的構成を、流体噴出装置９１０として図１９ないし図２１に示した。図１９は流体噴出装置９１０を縦断面視した説明図、図２０は流体噴出装置９１０を横断面視した説明図、図２１はこの流体噴出装置９１０に組み込み可能な噴出体９２０を要部拡大図と共に示す説明図である。
【００９６】
図１９に示すように、流体噴出装置９１０は、本体９１１に、流体（下肢水浴装置に用いられる場合には、湯水）が流入する流入室として円筒状に形成された旋回室９１２を形成し、この旋回室９１２に、流入路９１４を経て元流路９１６から流体を導き入れる。旋回室９１２は、本体９１１に旋回室形成パーツ９１８を嵌合・装着することで、この旋回室形成パーツ９１８と本体９１１で形成され、天井に開口９１９を有する。
【００９７】
流入路９１４は、元流路９１６より通路断面積が小さく構成されており、旋回室９１２の中心に対して偏心して旋回室９１２に接続されている。このため、流入路９１４から、流体は旋回室９１２に対してその接線方向から流入し、旋回室９１２内壁に沿って旋回する旋回流を生成する。この場合、流入路９１４の通路断面積は元流路９１６より小さいことから、旋回室９１２に流入する流体の流速を高めることができる。
【００９８】
流体噴出装置９１０は、この旋回室９１２内に噴出体９２０を組み込んで備える。噴出体９２０は、図２１に示すように、旋回室９１２の内部に位置する円柱状の噴出体本体９２２を備え、その先端の小径部に装着体である噴出体キャップ９２４を嵌合・装着させている。そして、噴出体９２０は、噴出体本体９２２と噴出体キャップ９２４を、旋回室９１２の開口９１９を挟んで上下に位置させる。
【００９９】
この噴出体９２０は、旋回室９１２内の流体を噴出体キャップ９２４の噴出口９２６へと導くための管路として、噴出体本体９２２には、これを十字状に貫通する導入管路９２８と、当該管路から本体上端に掛けて噴出体軸方向に延びた軸方向管路９３０とを備える。また、噴出体キャップ９２４には、軸方向管路９３０と連通しキャップ端部の噴出口９２６に到る傾斜管路９３２を有する。従って、噴出体９２０は、旋回室９１２に流入した流体を、導入管路９２８、軸方向管路９３０を経て傾斜管路９３２に導き入れ、この傾斜管路９３２における噴出口９２６から流体を噴出する。この傾斜管路９３２は、噴出体キャップ９２４が噴出体本体９２２に装着された状態で、噴出体本体９２２上端の軸方向管路９３０から噴出口９２６に至って傾斜した管路である。傾斜管路９３２は、後述する噴出体９２０の自転により洗浄水が円錐状に拡大して噴出されるように、噴出体中心軸ＦＪに対して傾斜角度βで傾斜しており、噴出口９２６より噴出される流体の噴出方向を決定する。
【０１００】
噴出体キャップ９２４は、図２１に示すように、傾斜管路９３２の末端である噴出口９２６を、この傾斜管路９３２に対して直交する面９３３に有する。従って、この傾斜管路９３２においては、当該傾斜管路９３２を流体が通過して噴出口９２６に到達する場合の流体の管路通過長さが、噴出口９２６の周りでほぼ同じとなる。なお、この面９３３の傾斜角度は、傾斜管路９３２の傾斜角度βと同じとなる。
【０１０１】
上記した噴出体キャップ９２４は、図２１に示すように、その長さが種々のものとでき、これらを使い分けることで、傾斜管路９３２を、その傾斜角度βを変えることなくその管路長を調整することができる。また、傾斜角度βが相違する複数の噴出体キャップ９２４を用意すれば、噴出体キャップ９２４の取り替えによって傾斜角度αと傾斜角度βとの大小関係を設定することが可能となり、噴出口９２６からの流体の噴出形態を簡単に変えることができる。
【０１０２】
噴出体９２０は、その先端に装着された噴出体キャップ９２４の下端側に、テーパ状の段差部９２３を備え、この段差部９２３を旋回室９１２の開口９１９の下方に位置させ、傾斜管路９３２および噴出口９２６を有する噴出体キャップ９２４を開口９１９の外側に位置させる。これにより、噴出体９２０は、噴出体キャップ９２４の噴出口９２６を開口９１９から外部に臨ませて、この開口９１９においてフリーな状態でつり下げ支持されていることになる。よって、噴出体９２０は、旋回室９１２への流体流入で旋回室内の流体圧が上昇すると、噴出口９２６の近傍に当たる上記の段差部９２３を旋回室９１２の開口９１９の旋回室９１２側の内壁に内接させる。
【０１０３】
こうして旋回室９１２に組み込まれた噴出体９２０は、既述したフリーのつり下げ状態であるので、段差部９２３を旋回室９１２の内壁（詳しくは、開口９１９の下端周縁）に当接させた状態で、この当接部分を頂点として開口９１９の中心軸である公転軸ＫＪに対して傾斜して首振り状に回転する首振り公転運動を起こし得る。この首振り公転運動の傾斜角度については後述する。また、噴出体９２０は、噴出体中心軸ＦＪ周りに回転する自転運動も起こし得る。なお、噴出体本体９２２は、旋回室９１２内に位置して上記の旋回流から後述の種々の力を受け、開口９１９の開口回りにおける段差部９２３を接点とした噴出体９２０の円錐状の首振り公転駆動等に関与するが、これについては、後述する。
【０１０４】
旋回室形成パーツ９１８は、本体９１１に装着されることで旋回室９１２を形成するほか、当該旋回室９１２の上部において、噴出体９２０の噴出体本体９２２を取り囲むガイド部９３４を形成する。このガイド部９３４は、旋回室９１２の内径より小径とされ、後述する図２１に示すように、噴出体本体９２２の周壁に接触して、この噴出体本体９２２、延いては噴出体９２０が首振り公転する際の最大傾斜角度（傾斜角度α）を規定する。
【０１０５】
次に、上記した構成を有する流体噴出装置９１０における構成部品の駆動の様子とこれに伴う流体噴出の様子を説明する。図２２は流体噴出装置９１０における構成部品の駆動の様子とこれに伴う流体噴出の様子を説明するための説明図である。流体噴出装置９１０に流体が供給されていない状況では、噴出体９２０は図１９に示すように正立姿勢にあると仮定できる。そして、この流体噴出装置９１０に流体が供給されると、流体は、旋回室９１２で噴出体本体９２２周りの旋回流を確実に起こす。この旋回流にあっては、旋回室９１２への流入部である流入路９１４の近辺と、噴出体本体９２２を挟んだその反対側とで、噴出体本体９２２周りの流速差を確実に引き起こすことができる。従って、噴出体本体９２２に、この流速差に基づいて飛行機の翼周りの速度差により発生する揚力と同質の力を生じさせることができ、この力によって、噴出体本体９２２は、旋回室９１２内で、旋回室９１２の中心軸である公転軸ＫＪに対して傾斜する。
【０１０６】
噴出体本体９２２が傾斜し始めると、傾斜した側では、噴出体本体９２２と旋回室９１２の内壁との間隔が狭くなるので、旋回流の速度がさらに増加し、前述した速度差は大きくなり、さらに大きな力が発生して、より傾斜しようとする。また、噴出体本体９２２が傾斜することで、噴出体本体９２２の側面にも旋回流の流れを受けて、噴出体本体９２２が旋回流の流れ方向に回転する。これにより、噴出体９２０は、ガイド部９３４に噴出体本体９２２を接触させて、傾斜角度αだけ公転軸ＫＪから傾斜して公転軸ＫＪ周りに首振り公転する。このように噴出体９２０が首振り公転を起こすと、この公転運動（回転運動）により回転外側方向に遠心力が発生する。この遠心力は、噴出体本体９２２がガイド部９３４に常に接触するよう噴出体９２０に作用するので、噴出体９２０は上記の傾斜角度αで安定して回転、すなわち首振り公転運動を行う。
【０１０７】
こうした傾斜や回転と同時に、噴出体９２０は、旋回室９１２内の流体の圧力を受けて、上方へと移動するので、噴出体９２０は段差部９２３の一部を開口９１９の内壁に内接させながら首振り公転を行う。
【０１０８】
このように噴出体９２０が首振り公転運動を起こしている間において、噴出体９２０は、旋回室９１２の内壁（詳しくはガイド部９３４）への接触による摩擦力を受けるので、自身の噴出体中心軸ＦＪ周りに回転、すなわち自転する。この場合、この自転の回転方向は、噴出体９２０がガイド部９３４に内接して転がるので、首振り公転および旋回流の回転方向に対して、反対方向の回転となる。本実施例では、このガイド部９３４を、摩擦抵抗の大きいゴム等の材質を用いて滑り防止として形成することにしたので、このガイド部９３４での噴出体９２０の滑りをガイド部周りにほぼ同じように抑制し、噴出体９２０に対して摩擦力を生じやすくした。よって、噴出体９２０の首振り公転による回転力（摩擦力）をこの噴出体９２０の自転を引き起こす力として確実に発生させ、噴出体９２０の自転を確実に起こすことができる。このように自転を確実に起こす他の手法としては、微小鋼球等を吹き付けるショットブラスト処理をガイド部９３４に施して、噴出体本体９２２のガイド表面に微小な凹凸を形成するようにすることもできる。また、噴出体９２０の噴出体本体９２２表面の側に微小凹凸を形成するようにすることもできる。なお、こうした滑り防止をガイド部９３４や噴出体本体９２２の一部領域だけに有するようにもできるが、これについては後述する。
【０１０９】
噴出体９２０が首振り公転運動する際の速度（回転数）は、旋回室９１２内への流体の流れの速度に支配されて決定され、噴出体９２０が自転運動する際の速度（回転数）は、この公転によって噴出体９２０がガイド部９３４を転がることで決まる。よって、噴出体９２０（詳しくは噴出体本体９２２）の外径ｄに対して、ガイド部９３４の内径Ｄ、公転の回転数をＲとした時、自転回転数は、Ｒ×（（Ｄ−ｄ）／Ｄ）となる。従って、この例では、Ｄ＝６ｍｍ、ｄ＝５．８ｍｍ、公転の回転数をＲ＝２１００ｒｐｍとすると、自転の回転数は約１００ｒｐｍとなる。つまり、噴出体２０の自転速度は公転速度に比して減速されており、自転周期も公転周期より長周期となる。実際、流体を水として用いた場合、上記スペックのものにおいて、流量約３リットル毎分で、公転の回転数が約１７００〜２８００ｒｐｍ、自転の回転数が約７０〜１５０ｒｐｍとなることが実験により確認された。これにより、本実施例での公転・自転の回転数比は、約１０〜３０倍の範囲とすることができる。
【０１１０】
本実施例では、噴出体９２０の首振り公転運動と自転運動についての速度比を、噴出体９２０の外径ｄとガイド部９３４の内径Ｄとにより、噴出体の公転速度を自転速度より大きく設定した。その上で、噴出体９２０の外径ｄとガイド部９３４の内径Ｄを近似させることで、図２２に示すように、噴出体９２０が首振り公転する際の傾斜角度αを小さくし、この傾斜角度αと傾斜角度βについては、α＜βの関係となるようにした。
【０１１１】
こうした流体噴出装置９１０を用いた場合の流体噴出の様子について、上記第１実施例における吐水ノズル４０を用いた場合と対比しつつ説明する。図２３は流体噴出装置９１０による流体噴出の様子を、吐水ノズル４０の場合と比較して示す説明図である。
【０１１２】
図２３（Ａ）は吐水ノズル４０のノズル体４４からの流体噴出の様子を表わしている。ノズル体４４は、ノズル体４４の中心軸に一致した管路（即ち、傾斜角度β＝０）を有し、傾斜角度αで首振り公転運動だけを起こし、自転運動は起こさないとする。そうすると、吐水口４７からの流体は、開口４６の中心軸（首振り公転の公転軸ＫＪ）から傾斜角度αで定まる広がりを持って円錐状の噴出となる。そして、その流体到達領域ＲＥは、公転軸ＫＪを中心に広がる。
【０１１３】
図２３（Ｂ）は流体噴出装置９１０の噴出体９２０からの流体噴出の様子を表わしている。図示するように、噴出口９２６に通じる管路を傾斜角度βで傾斜した傾斜管路９３２（図では、右に傾斜した管路）とした上で、噴出体９２０が首振り公転運動だけをしているとすると、図２３（Ａ）に示した流体到達領域ＲＥは、この傾斜角度βに応じてその位置を変える。図示のように右に傾斜した場合は、この流体到達領域ＲＥは、噴出体９２０が右に傾斜角度αで傾斜した姿勢での噴出体中心軸ＦＪから、傾斜管路９３２の傾斜角度βだけ更に右にずれて傾くことになる。しかも、傾斜角度αと傾斜角度βは、α＜βの関係にあることから、傾斜角度βを有する場合の流体到達領域ＲＥは、図２３（Ａ）に示した傾斜角度βがない場合の流体到達領域ＲＥと干渉しない位置までずれることになる。つまり、公転軸ＫＪ周りには流体が達しない領域を形成しつつ、公転軸ＫＪ周りに流体を噴出できる（図２３（Ｂ）参照）。こうした流体の噴出は、いわゆる中抜きの流体噴出と呼ぶことができ、この中抜きの流体噴出では、流体が足裏ＦＵに当たる箇所を離すことができる。
【０１１４】
次に、こうした流体到達領域ＲＥを確保しながら首振り公転運動している噴出体９２０が噴出体中心軸ＦＪ周りの自転運動を起こすとする。そうすると、図２３（Ｂ）の下段に示したように、流体到達領域ＲＥは噴出体中心軸ＦＪ周りに回転することになる。ところが、本実施例では、噴出体９２０の公転速度を自転速度より大きくしてあることから、例えば、公転速度を自転速度の１０倍の速度とすると、首振り公転運動が１０回転起きて自転運動により噴出体９２０は１回の自転を起こすことになるので、一回の首振り公転運動で得られる流体到達領域ＲＥは、噴出体９２０の自転運動に伴って図示するように噴出体中心軸ＦＪ周りで位置を変えつつ、公転軸ＫＪ周りに回転することになる。この場合の首振り公転運動の一回転当たりの流体到達領域ＲＥの位置変位は、（自転速度／公転速度）で与えられる。そして、こうした流体の噴出状況を起こしている場合、上記したα＜βの関係から公転軸ＫＪ周りには流体が達しない領域を取り囲むように、流体到達領域ＲＥが回るようになる。つまり、公転軸ＫＪ周りを中抜きしたような流体噴出とでき、この中抜きの程度は、傾斜角度αと傾斜角度βの大小でほぼ定まる。
【０１１５】
このような流体噴出装置９１０を用いた下肢水浴装置において、噴出体９２０からの流体噴出は、噴出口９２６からの噴出流体の流体到達領域ＲＥが、噴出体中心軸ＦＪ周りでゆっくりと位置を変えつつ公転軸ＫＪ周りに回転することになり、公転軸ＫＪ周りには流体が達しない領域を取り囲むような状態となる。従って、この流体噴出装置９１０を用いれば、噴出口９２６から足裏ＦＵに向かう流体噴出の状況を、円錐状に拡大すると共に、速度規定した噴出体９２０の公転・自転と、角度設定した公転・自転の傾斜角度α、βとにより、多様化できる。
【０１１６】
また、この流体噴出装置９１０では、傾斜管路９３２の末端開口である噴出口９２６を傾斜管路９３２に対して直交する面９３３に有し、傾斜管路９３２において、当該傾斜管路を流体が通過して噴出口９２６に到達する場合の流体の管路通過長さを、噴出口９２６の周りでほぼ同じとしている。よって、噴出口９２６から流体を噴出するに際しては、噴出口周りにおいてほぼ均一な速度で流体を噴出できるので、足裏ＦＵに向かう湯水を噴出口９２６から纏まりよく噴出できる。つまり、図２２や図２３に示した流体到達領域ＲＥに至る湯水の噴出状況を安定化させることができる。
【０１１７】
また、第４実施例では、公転軸ＫＪ周りの噴出体９２０の首振り公転運動の速度は速く、噴出体中心軸ＦＪ周りの噴出体９２０の自転運動の速度を遅くした。つまり、噴出体９２０の自転周期は噴出体９２０の首振り公転に比べて長周期となり、流体到達箇所、例えば人体表皮においては、噴出体９２０の自転に伴う流体の到達位置推移はゆっくりと起き、噴出体９２０の首振り公転に伴う流体の到達位置推移は早く起きる。
【０１１８】
この様な流体噴出の状況では、人体は、位置推移の遅い自転による流体の噴出を、より認識する。つまり、刺激に対する人体の皮膚感覚は、刺激が加わる際の周波数が高いほど（本実施例に照らせば噴出流体の到達位置推移の速度が高いほど）刺激に対する認識が弱まるので、長周期で低速回転（低周波数）の自転による流体の噴出を、人体はより認識する。
【０１１９】
よって、本実施例によれば、このように減速された低速、且つ噴出角（傾斜角度β）の大きい回転噴射（自転噴出）を、噴出体９２０の安定性の高い高速回転（首振り公転）で作り出す事ができる。この場合、傾斜角度β＝１５°で約１〜２．５Ｈｚの回転を、傾斜角度α＝１０°で約２８〜４７Ｈｚの公転で作り出している。この回転比は、既述した噴出体９２０の外径ｄとガイド部の内径Ｄの比でほぼ定まるので、この内外径を調整することで、具体的には噴出体９２０の噴出体本体９２２や噴出体キャップ９２４、或いはガイド部９３４の交換で、噴出体９２０の自転周期（周波数）を種々調整でき、上記した流体噴出の様子、例えば公転軸ＫＪ周りの中抜きの程度等についても調整できる。
【０１２０】
つまり、図２１に示したように、図中上段の噴出体キャップ９２４を有する噴出体９２０とすれば、傾斜管路９３２の傾斜角度βが首振り公転の傾斜角度αに比してより大きくなるので、公転軸ＫＪ周りの中抜きの範囲がより広くなる。その一方、ガイド部９３４の内径Ｄを大きくして傾斜角度αを大きくして、傾斜角度αと傾斜角度βとを、α≧βの関係となるようにすることもできる。或いは、図２１に示す傾斜管路９３２の傾斜角度βを小さくして、傾斜角度αと傾斜角度βとを、α≧βの関係となるようにすることもできる。これらの場合については後述する。
【０１２１】
しかも、本実施例では、中抜きの流体噴出を行うので、これを下肢水浴装置における足裏ＦＵへの湯水の着水に適用すれば、次の利点がある。中抜きの流体噴出では、公転軸ＫＪ周りを中抜きして流体到達領域ＲＥが公転軸ＫＪ周りに回ることから、足裏ＦＵには、離れた箇所に刺激が与えられる。一般に、人体に刺激が当たる箇所が離れると（本実施例の場合は吐水された湯水が足裏ＦＵに着水する箇所が離れると）、こうした離れた箇所で刺激（湯水を浴びることで得られる刺激）を受ける人は、あたかも揉まれているようなマッサージ感を得ることができると云われている。これは、人体表皮において距離を置いて２カ所に刺激を与えた場合に、その距離に、刺激を１点で感じるか２点で感じるかの境目があると云われている。こうした距離は２点弁別閾と呼ばれる。こうした刺激の２点弁別閾の関係から、傾斜角度α・βの調整により、流体到達領域ＲＥが２点弁別閾を越えた間隔で公転軸ＫＪ周りに回るようにして、足裏ＦＵに刺激を繰り返し与えると、その刺激を受けている箇所が揉まれているようなマッサージ感を得ることができる。この場合、刺激の繰り返しは、公転軸ＫＪ周りの流体到達領域ＲＥの位置推移、即ち噴出体９２０の首振り公転運動の速度（周期）で定まるので、旋回室９１２への流体流入速度の調整を経て公転速度を調整することで、刺激の繰り返しをゆっくりとしたものや、やや早いものとできるので、上記したマッサージ感が顕著となり好ましい。
【０１２２】
本実施例では、噴出体９２０を首振り公転運動させるに当たり、旋回室９１２に流入した流体によりエネルギを受けて、旋回室９１２内において噴出体９２０まわりの旋回流を引き起こし、この旋回流に基づいて噴出体９２０を首振り公転運動するようにしている。従って、電気的な駆動源を噴出体の首振り公転運動に要しないので、構成の簡略化を図ることができる。
【０１２３】
また、本実施例では、噴出体９２０のガイド部９３４との当接箇所で摩擦を発生させ、その摩擦力に基づいて噴出体９２０を自転運動するようにするようにしている。従って、噴出体９２０の自転運動を起こすに当たっても電気的な駆動源を要しないので、構成の簡略化を図ることができる。つまり、本実施例では、上記の様な流体の噴出を得るにあたって、減速機構や特別な装置を全く必要とせず、非常に簡単な構成で達成することができる。
【０１２４】
本実施例では、噴出体９２０が首振り公転する際の最大傾斜角度（傾斜角度α）をガイド部９３４によって規制している。従って、噴出体９２０が傾斜角度αで傾斜する際の姿勢の維持、および、この傾斜角度αでの噴出体９２０の首振り公転運動の安定化・傾斜姿勢での自転運動の安定化の確保の上で好ましい。そして、こうした姿勢維持・運動の安定化により、噴出口９２６から噴出される流体を安定して円錐状のものとできるほか、流体到達領域ＲＥの公転軸ＫＪ回りの回転を安定化させることができる。また、ガイド部９３４は、噴出体本体９２２の周壁に接触して傾斜角度αを規制しているので、噴出体９２０が首振り公転運動する際に、この接触部の摩擦力によって、噴出体９２０は確実に自転運動することができる。よって、前述した流体到達領域ＲＥの公転軸ＫＪ回りの回転を確実に起こすことが可能となる。
【０１２５】
また、本実施例では、旋回室９１２の内部において既述したように公転する噴出体９２０を、その下部の噴出体本体９２２を円柱形状とした。よって、この円柱形状とした噴出体本体９２２周りの旋回流を、円柱周壁においてその流れが不用意に乱れた旋回流とすることを抑制でき、こうした抑制を円柱形状の噴出体本体９２２の軸方向に亘り発現させる。このため、円柱形状の噴出体本体９２２の軸方向で旋回流の既述した速度差を確実に発生させるので、円柱形状の噴出体本体９２２全体を揚力発生に寄与させて、揚力を大きくすることができる。これにより、噴出体本体９２２や噴出体９２０の首振り公転の確実化を図ることができる。
【０１２６】
噴出体９２０が自転しようとする力には、旋回流からの流れによる自転力と、旋回室９１２の内壁（詳しくはガイド部９３４）への当接による摩擦力によって噴出体９２０が壁面を転がることで生じる自転力と、の２つがあるが、この２つの自転力による自転方向は異なっている。従って、噴出体９２０を円柱形状とすることで、噴出体９２０が旋回室９１２の内壁面での流体の粘性抵抗によって旋回流からうける自転力を小さくすることができ、噴出体９２０が旋回室９１２の内壁への当接による摩擦力による自転力のみを受けるようにすることが可能となり、安定して自転を行うことが可能となる。なお、ガイド部９３４と噴出体９２０との接触部の少なくとも一方に、滑り防止部を設けてもよい。こうすれば、噴出体９２０がガイド部９３４と接触して自転運動を行う際に、接触部での滑りを抑制して当該接触部での摩擦力を生じ易くする。よって、首振り公転運動による回転力を確実に自転する力とすることができるので、前述した様な公転速度と自転速度の関係および傾斜角度αと傾斜角度βの関係によって引き起こされる様々な効果を、確実に引き起こすことができる。なお、この場合、滑り防止部は、摩擦抵抗の大きいゴム等の材質を用いても良いし、微小な凹凸加工を施して滑りにくくしても良く、簡単な構造で構成することができる。
【０１２７】
加えて、本実施例では、傾斜角度βの傾斜管路９３２を噴出体９２０が有するようにするに当たり、噴出体本体９２２の先端に噴出体キャップ９２４を装着させることとし、この噴出体キャップ９２４を旋回室９１２の開口９１９外部に位置させた。よって、噴出体９２０に既述したように遠心力が作用して、その分力により噴出体９２０が旋回室９１２の底面側に移動しようとしても、噴出体キャップ９２４を、開口９１９におけるストッパとして機能させることができる。このため、噴出体９２０を不用意に旋回室９１２底面に接触させることがないので、噴出体９２０の首振り公転運動および自転運動を円滑化できる。
【０１２８】
なお、上記の第４実施例では、噴出体２０の公転速度を自転速度より大きくした上で傾斜角度αと傾斜角度βをα＜βの関係とした場合における流体の噴出の様子を説明したが、既述したように、第４実施例における流体噴出装置９１０では、噴出体本体９２２の外径ｄやガイド部９３４の内径Ｄの値を調整することによって噴出体９２０の公転・自転の回転数比を変えることが可能であり、噴出体９２０の傾斜角度αや傾斜管路９３２の傾斜角度βの大きさも適宜変更することができる。以下、第４実施例における流体噴出装置９１０において、公転・自転の回転数比や傾斜角度α，傾斜角度βを変更した場合の変形例を図２４ないし図２６を参照しつつ説明する。
【０１２９】
図２４（Ｂ）は噴出体９２０の公転速度を自転速度より大きくした上で傾斜角度αと傾斜角度βをα≧βの関係とした場合の噴出の様子を説明する説明図である。この図２４（Ｂ）では、傾斜角度βについては第４実施例（図２３（Ｂ））と同じであり、傾斜角度αを傾斜角度β以上の値とした点で第４実施例と異なっている。図２４（Ａ）では、説明の便宜を図るため、噴出体９２０が、噴出口９２６に向かう管路として、傾斜管路９３２を有さず、噴出体９２０の中心軸に沿った軸方向管路９３０のみを有する（即ち、傾斜角度β＝０）と仮定した場合における流体噴出の様子を表わしている。この場合は、図２３（Ａ）と比べれば、傾斜角度αが大きい分だけ、傾斜角度β＝０である場合の円錐状の噴出はより広がり（図２４（Ａ）参照）、公転軸ＫＪを中心とした流体到達領域ＲＥも広くなる。
【０１３０】
そして、図２４（Ｂ）に示すように、噴出口９２６に向かう管路を傾斜角度βで傾斜した傾斜管路９３２（図では、右に傾斜した管路）とした上で、噴出体９２０が首振り公転運動だけを起こしていると、流体到達領域ＲＥは、この傾斜角度βに応じてその位置を変える。しかし、この位置を変えた流体到達領域ＲＥは、α≧βの関係から、傾斜角度β＝０とした場合の流体到達領域ＲＥ（図２３（Ａ））と干渉することになる。そして、傾斜角度αが傾斜角度βより大きくなるほど、この干渉領域は増え、公転軸ＫＪを含む或いはこの軸を越える領域にまで流体が達するようになる。なお、傾斜角度αを大きくするほか、傾斜角度βを小さくして、α≧βの関係とすることもできる。
【０１３１】
次に、こうして流体到達領域ＲＥがずれて首振り公転運動している噴出体９２０が噴出体中心軸ＦＪ周りの自転運動を起こすとする。すると、先に説明したように、流体到達領域ＲＥは噴出体中心軸ＦＪ周りに回転し（図２４（Ｂ）参照）、噴出体９２０の公転速度が自転速度より大きいことから、傾斜角度αが大きいために広がった流体到達領域ＲＥは、噴出体９２０の自転運動に伴って図示するように噴出体中心軸ＦＪ周りでゆっくりと位置を変えつつ、公転軸ＫＪを取り囲むように、公転軸ＫＪ周りに回転することになる。この場合の首振り公転運動の一回転当たりの流体到達領域ＲＥの位置変位も（自転速度／公転速度）で与えられ、流体到達領域ＲＥは、上記したα≧βの関係から公転軸ＫＪを含む領域にまで達することになる。よって、この公転軸ＫＪを含む領域で流体到達領域ＲＥが重なって噴出流体が重なり、その周囲では、流体到達領域ＲＥが公転軸ＫＪを中心に回るような噴出状態となる。これにより、中抜きのない流体噴出を得ることができる。
【０１３２】
そして、この変形例では、中抜きのない流体噴出を行うので、これを下肢水浴装置における足裏ＦＵへの湯水の着水に適用すれば、足裏ＦＵの所定箇所に湯水を集中させて浴びせることができるので、足裏ＦＵのツボへの刺激付与に好適である。しかも、足裏ＦＵのツボには集中吐水による刺激を与えつつ、その周辺にも刺激を与えることができる。この刺激の繰り返しは、自転速度と公転速度で定まる既述した流体到達領域ＲＥの位置変位で規定されるので、ツボへのゆっくりとした刺激繰り返しや、やや早い刺激繰り返しを行うことができ、ツボ刺激の多様化が可能である。
【０１３３】
図２５は噴出体９２０の自転速度を公転速度より大きくした上で、傾斜角度αと傾斜角度βをα＞βの関係とした場合の噴出の様子を説明する説明図である。この場合は、自転速度が速いことから、流体噴出の様子は、自転運動に伴う噴出体９２０の挙動から説明できる。今、噴出体９２０は、図２５に示すように、噴出口９２６に向かう管路を噴出体中心軸（噴出体中心軸ＦＪ）から傾斜角度βだけ傾斜させて備え、開口９１９の中心軸（首振り公転の公転軸ＫＪ）から傾斜角度αだけ傾斜した姿勢にあるとする。そして、噴出体９２０は、この姿勢で自転運動だけを起こし、首振り公転運動は起こさないと仮定する。そうすると、噴出口９２６からの流体は、首振り公転の公転軸ＫＪから傾斜角度αだけ傾いた位置で、噴出体中心軸ＦＪから傾斜角度βで定まる広がりを持って円錐状の噴出となる。そして、その流体到達領域ＲＥは、噴出体中心軸ＦＪを中心に広がる。この場合、傾斜角度αと傾斜角度βは、α＞βの関係にあることから、噴出体中心軸ＦＪを中心に広がった流体到達領域ＲＥは、公転軸ＫＪ周りには流体が達しない領域を形成することになる。
【０１３４】
次に、こうした流体到達領域ＲＥとなるよう自転運動している噴出体９２０が公転軸ＫＪを中心とした首振り公転運動を起こすと、流体到達領域ＲＥは公転軸ＫＪ周りに回転することになる。ところが、噴出体９２０の自転速度を公転速度より大きくしてあることから、例えば、公転速度を自転速度の１０倍の速度とすると、自転運動が１０回転起きている間に首振り公転運動により噴出体９２０は１回の公転を起こすことになるので、一回の自転運動で得られる流体到達領域ＲＥは、噴出体９２０の首振り公転運動に伴って図示するように公転軸ＫＪ周りで位置を変えつつ回転することになる。この場合の自転運動の一回転当たりの流体到達領域ＲＥの位置変位は、（公転速度／自転速度）で与えられる。そして、こうした流体の噴出状況を起こしている場合、上記したα＞βの関係から公転軸ＫＪ周りには流体が達しない領域を取り囲むように、流体到達領域ＲＥが回るようになり、既述した中抜きの流体噴出となる。
【０１３５】
図２６は噴出体９２０の自転速度を公転速度より大きくした上で傾斜角度αと傾斜角度βをα≦βの関係とした場合の噴出の様子を説明する説明図である。この場合は、図２５と比べれば、傾斜角度βが大きい分だけ、首振り公転の公転軸ＫＪから傾斜角度αだけ傾いた位置での円錐状の噴出の広がりが増し、噴出体中心軸ＦＪを中心とした流体到達領域ＲＥも広くなる。そして、傾斜角度αと傾斜角度βは、α≦βの関係にあることから、噴出体中心軸ＦＪを中心に広がった流体到達領域ＲＥは、公転軸ＫＪを含む領域にまで達することになると共に、傾斜角度βが傾斜角度αより大きくなるほど、公転軸ＫＪを越えて広がる領域が増えることになる。
【０１３６】
次に、こうした流体到達領域ＲＥとなるよう自転運動している噴出体９２０が公転軸ＫＪを中心とした首振り公転運動を起こすと、流体到達領域ＲＥは公転軸ＫＪ周りに回転することになる。よって、先に説明したように、流体到達領域ＲＥは公転軸ＫＪを含んで当該軸周りに回るようになり、中抜きのない流体噴出を得ることができる。この場合の自転運動の一回転当たりの流体到達領域ＲＥの位置変位も（公転速度／自転速度）で与えられる。
【０１３７】
このように、流体噴出に影響を与える傾斜角度αと前記傾斜角度βを、噴出体の首振り公転運動する際の公転速度と噴出体の自転運動する際の自転速度の大小関係に応じて、例えば上記のように設定すれば、円錐状に拡大した流体噴出の多様化を図ることができる。
【０１３８】
ここで、体感評価について説明する。この体感評価には、上記した第１実施例の吐水ノズル４０を用いた下肢水浴装置（図１ないし図４）、即ち、吐水の管路がノズル軸と一致した直管管路の下肢水浴装置である。この下肢水浴装置を１５名の人に実際に使用してもらい、体感評価試験を行なった。この体感評価試験の条件について図２７（Ａ）を参照しつつ説明する。図示するように、体感評価試験では、ノズル体４４が首振り公転する際の傾斜角度αを２０°に設定し、吐水口４７からの湯水の単位時間当たりの噴出流量を両足で１０リットル／分に設定した。その上で、吐水口４７から、足置き台５０に載せられた両足の足裏ＦＵ（土踏まず付近）を目掛けて、湯水を噴出した。噴出された湯水が足裏ＦＵに着水する範囲は既述したように略円形となるが、この着水範囲の直径である吐水直径Ｄｉの値を、吐水口４７から足裏ＦＵまでの距離Ｌを足置き台５０の移動によって変えることにより、３〜８センチメートルまでの間で１センチメートル刻みで変化させた。
【０１３９】
こうした条件で足裏ＦＵに湯水を得たときの満足度を、吐水直径Ｄｉの値ごとに各人にヒアリングし、満足した人の数を吐水直径Ｄｉの値ごとに集計した。この集計結果を図２７（Ｂ）に示す。図示するように、足裏ＦＵに着水する範囲が略円形となる場合には、吐水直径Ｄｉの値を５センチメートル以上７センチメートル未満とした場合に、特に好適な使用感が得られることがわかった。
【０１４０】
以上、本発明の実施の形態を実施例，変形例に基づいて説明したが、本発明はこうした実施例等に何等限定されるものではなく、本発明の要旨を逸脱しない範囲内において種々なる様態で実施し得ることは勿論である。例えば、上記実施例ないし上記変形例を適宜組み合わせて実施しても差し支えない。
【０１４１】
足置き台５０，１５０，２５０の形状は適宜変更することができる。例えば、上面板５４，１５４，２５４をネット形状とし、吐水ノズル４０，１４０，２４０から吐水された湯水を、網目内に形成された貫通孔を通じて足裏に到達させる構成としてもよい。
【０１４２】
上記実施例では、左右両足への同時吐水ができるように、左右の各足について１個ずつ吐水ノズル４０，１４０，２４０を設けたが、左右両足を１個の吐水ノズルで対応することも可能である。例えば、第３実施例において、上記マップＭＤとして、左右の貫通孔５１に共通のマップを格納しておけば、吐水ノズル２４０は右足用の貫通孔と左足用の貫通孔との間において移動可能となるので、１個の吐水ノズル２４０で各足の各所に順次に吐水することができる。こうすれば、更なる節水を図ることができる。
【０１４３】
上記実施例の下肢水浴装置は、給水設備や排水設備を備えた空間（例えば、浴室）浴室内に設置して使用されるが、吐水用の湯水を貯留可能な給水タンクを電動ポンプ６０，１６０，２６０に接続する構成とすれば、給水設備のない場所でも足浴を行なうことができる。更に、上記実施例において、排水孔２８，１２８，２２８から排出される湯水を受け入れる排水タンクを下部３０，１３０，２３０に内蔵する構成とすれば、給排水設備のない一般の室内でも足浴を行なうことができる。
【０１４４】
給水機構に瞬間式のヒータを設けることも可能である。こうすれば、給水管６３に給水された水はヒータで温水化されて吐水ノズル４０に供給される。従って、給湯設備がない場所においても足に温水を得ることができる。
【０１４５】
上記実施例において、上部２０にシーズヒータを埋め込む構成を採ることも可能である。例えば、シーズヒータを足置き台５０に埋め込んだ場合には、下肢水浴装置１０の使用中に足裏を暖めることができる。
【０１４６】
また、上部２０内への送風を行なう送風機を設ければ、足浴後の足を乾かすことが可能となり好適である。特に、送風機による送風を足指間に向けて行なえば、股状で乾きにくい足指間を早期に乾かすことができる。
【０１４７】
上記実施例では、足の裏を指向して湯水を吐水する吐水ノズル４０を設けたが、足裏以外の足の各部（裏，指，爪，くるぶし、甲、かかと、足首等）を指向して湯水が吐水されるように、凹所２６内に吐水ノズル４０を増設してもよい。また、こうした吐水ノズル４０に替えて、霧状の湯水を噴霧するノズルを設けても良い。吐水ノズル４０におけるノズル体４４の旋回をモータの駆動によって実現することも可能である。
【図面の簡単な説明】
【０１４８】
【図１】本発明の第１実施例としての下肢水浴装置１０の概略構成を示す説明図である。
【図２】下肢水浴装置１０を図１における２−２線に沿って縦方向に切断したときの矢視断面形状を示す説明図である。
【図３】凹所２６の底面２６ｔを上から見たときの様子を示す説明図である。
【図４】吐水ノズル４０の作動の様子を説明する説明図である。
【図５】首振り機構８０の一例を示す説明図である。
【図６】カム機構８１の構造を示す説明図である。
【図７】第１実施例において、吐水ノズル４０から吐水された湯水が足裏ＦＵの露出部分ＦＵｐに着水する領域を示す説明図である。
【図８】吐水力を利用したスライド機構の構造を示す説明図である。
【図９】領域Ｕ１の範囲の真下に多数の吐水ノズルを設ける構成を示す説明図である。
【図１０】第２実施例において採用されるスイング・スライド機構１８０の構造を示す説明図である。
【図１１】第２実施例において、吐水ノズル１４０から吐水された湯水が足裏ＦＵの露出部分ＦＵｐに着水する領域を示す説明図である。
【図１２】第３実施例としての下肢水浴装置２１０の概略構成を示す説明図である。
【図１３】スライド機構２７０の構造を示す説明図である。
【図１４】マップＭＤの一例を示す説明図である。
【図１５】メニューテーブルＴＤの一例を示す説明図である。
【図１６】順次吐水処理ルーチンを示すフローチャートである。
【図１７】サイズ調節に関する変形例を示す説明図である。
【図１８】オリジナルコースの登録に関する変形例を示す説明図である。
【図１９】第４実施例の下肢水浴装置に用いられる流体噴出装置９１０を縦断面視した説明図である。
【図２０】流体噴出装置９１０を横断面視した説明図である。
【図２１】流体噴出装置９１０に組み込み可能な噴出体９２０を要部拡大図と共に示す説明図である。
【図２２】流体噴出装置９１０における構成部品の駆動の様子とこれに伴う流体噴出の様子を説明するための説明図である。
【図２３】流体噴出装置９１０による流体噴出の様子を、吐水ノズル４０の場合と比較して示す説明図である。
【図２４】噴出体の公転速度を自転速度より大きくした上で傾斜角度αと傾斜角度βをα≧βの関係とした場合の噴出の様子を説明する説明図である。
【図２５】噴出体の自転速度を公転速度より大きくした上で、傾斜角度αと傾斜角度βをα＞βの関係とした場合の噴出の様子を説明する説明図である。
【図２６】噴出体の自転速度を公転速度より大きくした上で傾斜角度αと傾斜角度βをα≦βの関係とした場合の噴出の様子を説明する説明図である。
【図２７】第１実施例の下肢水浴装置を用いた体感評価試験の内容を示す説明図である。
【符号の説明】
【０１４９】
１０，１１０，２１０...下肢水浴装置
１２...本体
１５...ゴム足
１９...リモコン装置
１９ａ，１１９ａ，２１９ａ...吐水スイッチ
１９ｂ，１１９ｂ，２１９ｂ...カバー開閉スイッチ
１９ｃ，１１９ｃ，２１９ｃ...水勢設定スイッチ
２０...上部
２１...前カバー
２２...後カバー
２３Ｌ，２３Ｒ...ゴム部材
２４Ｌ，２４Ｒ...ゴム部材
２５Ｌ，２５Ｒ...穴部
２６，１２６，２２６...凹所
２６ｔ，１２６ｔ，２２６ｔ...底面
２７Ｌ，２７Ｒ...開口
２８，１２８，２２８...排水孔
２９...排水口
３０，１３０，２３０...下部
３８...収納室
４０，１４０，２４０...吐水ノズル
４１...ノズルブロック
４２...流入室
４４...ノズル体
４５...吐水孔
４６...開口
４７，１４７，２４７...吐水口
４８...ガイド部
５０，１５０，２５０...足置き台
５０ａ，１５０ａ，２５０ａ...踵凹所
５１，１５１，２５１...貫通孔
５４，１５４，２５４...上面板
５４ａ，１５４ａ，２５４ａ...載置面
５５Ａ〜Ｄ...側面板
５８...ゲート開孔
５９...ゲート開孔
６０，１６０，２６０...電動ポンプ
６１...可撓管
６３...給水管
６４，１６４，２６４...制御装置
８０...首振り機構
８１...カム機構
８２...係合ロッド
８５...スライド機構
８６...レール
８７...シャフト
８８...ストッパ
１７１...テーブル
１８０...スイング・スライド機構
２１９ｄ...切換スイッチ
２１９ｅ...位置調節スイッチ
２１９ｆ...マッサージコーススイッチ
２１９ｇ...サイズ調節スイッチ
２１９ｈ...オリジナルコーススイッチ
２７０...スライド機構
２７１...テーブル
９１０...流体噴出装置
９１１...本体
９１２...旋回室
９１４...流入路
９１６...元流路
９１８...旋回室形成パーツ
９１９...開口
９２０...噴出体
９２２...噴出体本体
９２３...段差部
９２４...噴出体キャップ
９２６...噴出口
９２８...導入管路
９３０...軸方向管路
９３２...傾斜管路
９３３...面
９３４...ガイド部
ＤＬ，ＤＲ...重合部
ＦＪ...噴出体中心軸
ＫＪ...公転軸
ＲＥ...流体到達領域
【図１】
2005000651.tif 000003
【図２】
2005000651.tif 000004
【図３】
2005000651.tif 000005
【図４】
2005000651.tif 000006
【図５】
2005000651.tif 000007
【図６】
2005000651.tif 000008
【図７】
2005000651.tif 000009
【図８】
2005000651.tif 000010
【図９】
2005000651.tif 000011
【図１０】
2005000651.tif 000012
【図１１】
2005000651.tif 000013
【図１２】
2005000651.tif 000014
【図１３】
2005000651.tif 000015
【図１４】
2005000651.tif 000016
【図１５】
2005000651.tif 000017
【図１６】
2005000651.tif 000018
【図１７】
2005000651.tif 000019
【図１８】
2005000651.tif 000020
【図１９】
2005000651.tif 000021
【図２０】
2005000651.tif 000022
【図２１】
2005000651.tif 000023
【図２２】
2005000651.tif 000024
【図２３】
2005000651.tif 000025
【図２４】
2005000651.tif 000026
【図２５】
2005000651.tif 000027
【図２６】
2005000651.tif 000028
【図２７】
2005000651.tif 000029